(57)【特許請求の範囲】
【請求項１】
ワイヤレス通信システムにおけるカバレッジ拡張の方法であって、
異なるサブフレームにわたる繰返しまたはパワーブースティングのうちの少なくとも１つを含むカバレッジ拡張技法のセットから第１のチャネルのために第１のカバレッジ拡張技法を選択することと、ここにおいて、カバレッジ拡張技法の前記セットが、空間多重化のためのプリコーディングをさらに備える、
カバレッジ拡張技法の前記セットから第２のチャネルのために、前記第１のカバレッジ拡張技法とは異なる第２のカバレッジ拡張技法を選択することと、ここにおいて、前記第２のチャネルは、前記第１のチャネルとは異なる、
前記第１のカバレッジ拡張技法を使用して前記第１のチャネルでユーザ機器（ＵＥ）に送信の第１の部分を送ることと、
前記第２のカバレッジ拡張技法を使用して前記第２のチャネルで前記ＵＥに前記送信の第２の部分を送ることと
を備える、方法。
【請求項２】
前記第１のチャネルが、ブロードキャストまたはグループキャストチャネルを備え、前記第１のカバレッジ拡張技法が、異なるサブフレームにわたる繰返しを備える、請求項１に記載の方法。
【請求項３】
前記第２のチャネルが、ユニキャストチャネルを備え、前記第２のカバレッジ拡張技法が、空間多重化のためのプリコーディングを備える、請求項１に記載の方法。
【請求項４】
前記第２のチャネルが、物理下りリンク共有チャネル（ＰＤＳＣＨ）を備える、請求項３に記載の方法。
【請求項５】
カバレッジ拡張技法の前記セットが、サブフレーム内の繰返しをさらに備える、請求項１に記載の方法。
【請求項６】
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、請求項５に記載の方法。
【請求項７】
カバレッジ拡張技法の前記セットから前記第２のチャネルのために第３のカバレッジ拡張技法を選択することと、
前記第３のカバレッジ拡張技法を使用して前記第２のチャネルで前記送信の第３の部分を送ることと
をさらに備える、請求項１に記載の方法。
【請求項８】
前記第１のカバレッジ拡張技法が、第１の複数のサブフレームにわたる第１の数の繰返しを備え、
前記第３のカバレッジ拡張技法が、第２の複数のサブフレームにわたる第２の数の繰返しを備え、
前記第２の数の繰返しが、厳密には前記第１の数の繰返しよりも少ない
請求項７に記載の方法。
【請求項９】
ワイヤレス通信システムにおけるカバレッジ拡張のための装置であって、
プロセッサと、
前記プロセッサと電子通信しているメモリと、
前記メモリに記憶された命令と、
を備え、前記命令は、装置に、
異なるサブフレームにわたる繰返しまたはパワーブースティングのうちの少なくとも１つを含むカバレッジ拡張技法のセットから第１のチャネルのために第１のカバレッジ拡張技法を選択することと、ここにおいて、カバレッジ拡張技法の前記セットが、空間多重化のためのプリコーディングをさらに備える、
カバレッジ拡張技法の前記セットから第２のチャネルのために、前記第１のカバレッジ拡張技法とは異なる第２のカバレッジ拡張技法を選択することと、ここにおいて、前記第２のチャネルは、前記第１のチャネルとは異なる、
前記第１のカバレッジ拡張技法を使用して前記第１のチャネルでユーザ機器（ＵＥ）に送信の第１の部分を送ることと、
前記第２のカバレッジ拡張技法を使用して前記第２のチャネルで前記ＵＥに前記送信の第２の部分を送ることと
を行わせるように前記プロセッサによって実行可能である、装置。
【請求項１０】
前記第１のチャネルが、ブロードキャストまたはグループキャストチャネルを備え、前記第１のカバレッジ拡張技法が、異なるサブフレームにわたる繰返しを備える、請求項９に記載の装置。
【請求項１１】
前記第２のチャネルが、ユニキャストチャネルを備え、前記第２のカバレッジ拡張技法が、空間多重化のためのプリコーディングを備える、請求項９に記載の装置。
【請求項１２】
前記第２のチャネルが、物理下りリンク共有チャネル（ＰＤＳＣＨ）を備える、請求項１１に記載の装置。
【請求項１３】
カバレッジ拡張技法の前記セットが、サブフレーム内の繰返しをさらに備える、請求項９に記載の装置。
【請求項１４】
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、請求項１３に記載の装置。
【請求項１５】
前記命令は、
カバレッジ拡張技法の前記セットから前記第２のチャネルのために第３のカバレッジ拡張技法を選択することと、
前記第３のカバレッジ拡張技法を使用して前記第２のチャネルで前記送信の第３の部分を送ることと
を行うようにさらに実行可能である、請求項９に記載の装置。
【請求項１６】
前記第１のカバレッジ拡張技法が、第１の複数のサブフレームにわたる第１の数の繰返しを備え、
前記第３のカバレッジ拡張技法が、第２の複数のサブフレームにわたる第２の数の繰返しを備え、
前記第２の数の繰返しが、厳密には前記第１の数の繰返しのよりも少ない請求項１５に記載の装置。
【発明の詳細な説明】
【技術分野】
【０００１】
相互参照
[0001]本特許出願は、そのそれぞれが本譲受人に譲渡されている、２０１４年１２月１７日に出願された、Ｃｈｅｎ他による「Ｃｈａｎｎｅｌ  Ｄｅｐｅｎｄｅｎｔ  Ｃｏｖｅｒａｇｅ  Ｅｎｈａｎｃｅｍｅｎｔ  Ｔｅｃｈｎｉｑｕｅｓ  ｉｎ  ＬＴＥ」という名称の米国特許出願第１４／５７４，１４３号、および２０１３年１２月２０日に出願された、Ｃｈｅｎ他による「Ｃｈａｎｎｅｌ  Ｄｅｐｅｎｄｅｎｔ  Ｃｏｖｅｒａｇｅ  Ｅｎｈａｎｃｅｍｅｎｔ  Ｔｅｃｈｎｉｑｕｅｓ  ｉｎ  ＬＴＥ」という名称の米国仮特許出願第６１／９１９５３１号に基づく優先権を主張する。
【背景技術】
【０００２】
[0002]以下は、概してワイヤレス通信に関し、より詳細には、カバレッジ拡張技法を選択することに関する。ワイヤレス通信システムは、音声、ビデオ、パケットデータ、メッセージング、ブロードキャストなどの、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムとすることができる。そのような多重接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【発明の概要】
【０００３】
[0003]ワイヤレス通信システムにおけるカバレッジ拡張のための方法、システム、およびデバイスが説明される。基地局が、異なるチャネルに対して異なるカバレッジ拡張技法を選択し、選択されたカバレッジ拡張技法を使用してチャネルを送信し得る。選択され得るカバレッジ拡張技法の例には、サブフレーム内の繰返し（repetition）、異なるサブフレームにわたる繰返し、パワーブースティング（power boosting）、および空間多重化が含まれる。これらの技法および他の技法が、単独でまたは組み合わせて使用され得る。たとえば、繰返し技法が、ブロードキャスト制御チャネルに選択されることがあり、空間多重化技法が、ユニキャストデータチャネルに選択されることがある。場合によっては、同様の技法が、異なるチャネルに選択されることがある。たとえば、１つのチャネルには、サブフレーム内の繰返しを使用する繰返し技法が選択されることがあり、別のチャネルには、サブフレーム内の繰返しのない、または異なる数の繰返しを使用する繰返し技法が選択されることがある。
【０００４】
[0004]いくつかの実施形態では、ワイヤレス通信システムにおけるカバレッジ拡張の方法が、異なるサブフレームにわたる繰返しまたはパワーブースティングのうちの少なくとも１つを含んだカバレッジ拡張技法のセットから第１のチャネルのために第１のカバレッジ拡張技法を選択することと、カバレッジ拡張技法のセットから第２のチャネルのために、第１のカバレッジ拡張技法とは異なる第２のカバレッジ拡張技法を選択することと、第１のカバレッジ拡張技法を使用して第１のチャネルでデータの第１の部分を送信することと、第２のカバレッジ拡張技法を使用して第２のチャネルでデータの第２の部分を送信することとを含む。
【０００５】
[0005]いくつかの実施形態では、ワイヤレス通信システムにおけるカバレッジ拡張のための装置が、異なるサブフレームにわたる繰返しまたはパワーブースティングのうちの少なくとも１つを含んだカバレッジ拡張技法のセットから第１のチャネルのために第１のカバレッジ拡張技法を選択するための手段と、カバレッジ拡張技法のセットから第２のチャネルのために、第１のカバレッジ拡張技法とは異なる第２のカバレッジ拡張技法を選択するための手段と、第１のカバレッジ拡張技法を使用して第１のチャネルでデータの第１の部分を送信するための手段と、第２のカバレッジ拡張技法を使用して第２のチャネルでデータの第２の部分を送信するための手段とを含む。
【０００６】
[0006]いくつかの実施形態では、ワイヤレス通信のためのコードを記憶する非一時的コンピュータ可読媒体が、異なるサブフレームにわたる繰返しまたはパワーブースティングのうちの少なくとも１つを含んだカバレッジ拡張技法のセットから第１のチャネルのために第１のカバレッジ拡張技法を選択し、カバレッジ拡張技法のセットから第２のチャネルのために、第１のカバレッジ拡張技法とは異なる第２のカバレッジ拡張技法を選択し、第１のカバレッジ拡張技法を使用して第１のチャネルでデータの第１の部分を送信し、第２のカバレッジ拡張技法を使用して第２のチャネルでデータの第２の部分を送信するように実行可能な命令を含む。
【０００７】
[0007]いくつかの実施形態では、ワイヤレス通信システムにおけるカバレッジ拡張のための装置が、プロセッサと、プロセッサと電子通信するメモリと、メモリに記憶された命令とを含む。命令は、異なるサブフレームにわたる繰返しまたはパワーブースティングのうちの少なくとも１つを含んだカバレッジ拡張技法のセットから第１のチャネルのために第１のカバレッジ拡張技法を選択し、カバレッジ拡張技法のセットから第２のチャネルのために、第１のカバレッジ拡張技法とは異なる第２のカバレッジ拡張技法を選択し、第１のカバレッジ拡張技法を使用して第１のチャネルでデータの第１の部分を送信し、第２のカバレッジ拡張技法を使用して第２のチャネルでデータの第２の部分を送信するように、プロセッサによって実行可能であってよい。
【０００８】
[0008]この方法、装置、またはコンピュータ可読媒体のいくつかの例では、カバレッジ拡張技法のセットは、空間多重化のためのプリコーディングをさらに含み得る。
【０００９】
[0009]この方法、装置、またはコンピュータ可読媒体のいくつかの例では、第１のチャネルは、ブロードキャストまたはグループキャストチャネルを含み得、第１のカバレッジ拡張技法は、異なるサブフレームにわたる繰返しを含み得る。
【００１０】
[0010]この方法、装置、またはコンピュータ可読媒体のいくつかの例では、第２のチャネルは、ユニキャストチャネルを含み得、第２のカバレッジ拡張技法は、空間多重化のためのプリコーディングを含み得る。
【００１１】
[0011]この方法、装置、またはコンピュータ可読媒体のいくつかの例では、第２のチャネルは、物理下りリンク共有チャネル（ＰＤＳＣＨ：physical downlink shared channel）を含み得る。
【００１２】
[0012]この方法、装置、またはコンピュータ可読媒体のいくつかの例では、カバレッジ拡張技法のセットは、サブフレーム内の繰返しをさらに含み得る。
【００１３】
[0013]この方法、装置、またはコンピュータ可読媒体のいくつかの例では、第１のチャネルは、物理下りリンク制御チャネル（ＰＤＣＣＨ：physical downlink control channel）を含み得、第２のカバレッジ拡張技法は、サブフレーム内の繰返しを含み得る。
【００１４】
[0014]この方法、装置、またはコンピュータ可読媒体のいくつかの例では、サブフレーム内の繰返しは、８よりも大きい最大アグリゲーションレベル（aggregation level）の使用を含み得る。
【００１５】
[0015]この方法、装置、またはコンピュータ可読媒体のいくつかの例では、最大アグリゲーションレベルは、下りリンクシステム帯域幅に依存し得る。
【００１６】
[0016]この方法、装置、またはコンピュータ可読媒体のいくつかの例では、第１のチャネルは、拡張された物理下りリンク制御チャネル（ＥＰＤＣＣＨ：enhanced physical downlink control channel）を含み得、第２のカバレッジ拡張技法は、サブフレーム内の繰返しを含み得る。
【００１７】
[0017]この方法、装置、またはコンピュータ可読媒体のいくつかの例では、サブフレーム内の繰返しは、カバレッジ拡張なしの公称レベルよりも大きい最大アグリゲーションレベルの使用を含み得る。
【００１８】
[0018]この方法、装置、またはコンピュータ可読媒体のいくつかの例では、ＥＰＤＣＣＨ用に構成される物理リソースブロック（ＰＲＢ：physical resource block）の数は、８よりも大きいことが可能である。
【００１９】
[0019]いくつかの例では、この方法、装置、またはコンピュータ可読媒体はまた、カバレッジ拡張技法のセットから第２のチャネルのために第３のカバレッジ拡張技法を選択する、および第３のカバレッジ拡張技法を使用して第２のチャネルでデータの第３の部分を送信するためのステップ、そのための手段、またはそのためにプロセッサによって実行可能な命令も含み得る。
【００２０】
[0020]この方法、装置、またはコンピュータ可読媒体のいくつかの例では、第１のカバレッジ拡張技法は、第１の複数のサブフレームにわたる第１の数の繰返しを含み得、第３のカバレッジ拡張技法は、第２の複数のサブフレームにわたる第２の数の繰返しを含み得、第２の数の繰返しは、厳密には第１の数の繰返しよりも少ないことがある。
【００２１】
[0021]いくつかの実施形態では、ワイヤレス通信システムにおけるカバレッジ拡張の方法が、ＵＥに対してカバレッジ拡張必要性を決定することと、決定されたカバレッジ拡張必要性に少なくとも部分的に基づいて制御チャネルを監視することとを含み得る。
【００２２】
[0022]いくつかの実施形態では、ワイヤレス通信システムにおけるカバレッジ拡張のための装置が、プロセッサと、プロセッサと電子通信するメモリと、メモリに記憶された命令とを含む。命令は、ＵＥに対してカバレッジ拡張必要性を決定し、決定されたカバレッジ拡張必要性に少なくとも部分的に基づいて制御チャネルを監視するように、プロセッサによって実行可能であり得る。
【００２３】
[0023]いくつかの実施形態では、ワイヤレス通信システムにおけるカバレッジ拡張のための装置が、ＵＥに対してカバレッジ拡張必要性を決定するための手段と、決定されたカバレッジ拡張必要性に少なくとも部分的に基づいて制御チャネルを監視する手段とを含む。
【００２４】
[0024]いくつかの実施形態では、ワイヤレス通信システムのためのコードを記憶する非一時的コンピュータ可読媒体が、ＵＥに対してカバレッジ拡張必要性を決定し、決定されたカバレッジ拡張必要性に少なくとも部分的に基づいて制御チャネルを監視するように実行可能な命令を含む。
【００２５】
[0025]この方法、装置、またはコンピュータ可読媒体のいくつかの例では、カバレッジ拡張必要性を決定することは、アグリゲーションレベルを識別することを含み、制御チャネルを監視することは、識別されたアグリゲーションレベルを監視することを含む。アグリゲーションレベルを識別することは、以前のカバレッジ拡張に使用されたものとは異なるアグリゲーションレベルを識別することを含み得る。
【００２６】
[0026]この方法、装置、またはコンピュータ可読媒体のいくつかの例では、制御チャネルは、物理下りリンク制御チャネル（ＰＤＣＣＨ）または拡張されたＰＤＣＣＨ（ＥＰＤＣＣＨ）のうちの少なくとも１つを含む。いくつかの例では、カバレッジ拡張必要性を決定することは、制御チャネルに対してバンドル伝送（bundled transmission）のサイズを決定することを含む。いくつかの例では、カバレッジ拡張必要性を決定することは、制御チャネルに対してカバレッジ拡張が必要とされないことを決定することを含む。
【００２７】
[0027]記載される方法および装置の適用可能性のさらなる範囲は、次の詳細な説明、特許請求の範囲、および図面から明らかとなろう。発明を実施するための形態の趣旨および範囲内の様々な変更および改変が当業者に明らかになるので、発明を実施するための形態および特定の例は、例示として与えられるにすぎない。
【００２８】
[0028]本発明の性質と利点とについてのさらなる理解は、以下の図面を参照することによって達成され得る。添付の図において、同様の構成要素または特徴は同じ参照ラベルを有することができる。さらに、同じタイプの様々な構成要素は、参照ラベルの後にダッシュおよび同様の構成要素の中から区別する第２のラベルを付けることによって区別され得る。明細書において第１の参照ラベルのみが使用される場合、説明は、第２の参照ラベルにかかわりなく、同じ第１の参照ラベルを有する同様の構成要素のいずれにも適用可能である。
【図面の簡単な説明】
【００２９】
【図１】[0029]本開示の様々な実施形態による、例示的なワイヤレス通信システムのブロック図。
【図２】[0030]本開示の様々な実施形態による、例示的なワイヤレス通信システムのブロック図。
【図３】[0031]様々な実施形態による、繰返しを含む、カバレッジ拡張技法に使用され得るコンポーネントキャリアについてのリソースのフレーム構造を示す図。
【図４Ａ】[0032]サブフレームセットにわたるサブフレーム間の繰返しを示すタイミング図。
【図４Ｂ】サブフレームのＰＤＣＣＨ内のＤＣＩおよびＰＤＳＣＨ内のコードワードの繰返しの一例を示す図。
【図５】[0033]本開示の様々な実施形態による、カバレッジ拡張のために構成された例示的なデバイスのブロック図。
【図６Ａ】[0034]本開示の様々な実施形態による、カバレッジ拡張のために構成された例示的なデバイスのブロック図。
【図６Ｂ】[0035]本開示の様々な実施形態による、カバレッジ拡張のために構成された例示的なデバイスのブロック図。
【図７】[0036]本開示の様々な実施形態による、カバレッジ拡張のために構成された例示的なデバイスのブロック図。
【図８Ａ】[0037]本開示の様々な実施形態による、カバレッジ拡張のために構成された例示的なシステムのブロック図。
【図８Ｂ】[0038]本開示の様々な実施形態による、カバレッジ拡張のために構成された例示的なシステムのブロック図。
【図９】[0039]本開示の様々な実施形態による、カバレッジ拡張の方法のフローチャート。
【図１０】[0040]本開示の様々な実施形態による、カバレッジ拡張の方法のフローチャート。
【図１１】[0041]本開示の様々な実施形態による、カバレッジ拡張の方法のフローチャート。
【発明を実施するための形態】
【００３０】
[0042]いくつかのタイプのワイヤレスデバイスが、自動化された通信を提供し得る。自動化されたワイヤレスデバイスは、マシンツーマシン（Ｍ２Ｍ：Machine-to-Machine）通信またはマシン型通信（ＭＴＣ：Machine Type Communication）を実装するデバイスを含み得る。Ｍ２Ｍおよび／またはＭＴＣは、デバイスが人の介入なしに互いにまたは基地局と通信することを可能にするデータ通信技術を指すことがある。たとえば、Ｍ２Ｍおよび／またはＭＴＣは、センサまたはメータを組み込んで情報を測定または捕捉し、情報を活用することができる中央サーバまたはアプリケーションプログラムにその情報を中継する、またはプログラムもしくはアプリケーションと対話する人間に情報を提示するデバイスからの通信を指すことがある。
【００３１】
[0043]ＭＴＣデバイスは、情報を収集する、またはマシンの自動行動（automated behavior）を可能にするために使用され得る。ＭＴＣデバイスのための適用例の例としては、スマートメータリング、インベントリ監視、水位監視、機器監視、ヘルスケア監視、野生生物監視、天候および地質学的事象監視、フリート管理および追跡、リモートセキュリティ検知、物理的アクセス制御、ならびにトランザクションベースのビジネスの課金がある。
【００３２】
[0044]より大きい範囲で、およびより低いパワーレベルで、ＭＴＣおよび他のワイヤレス通信デバイスがワイヤレスシステムからのデータを送信および受信することを可能にするカバレッジ拡張技法が実装され得る。異なるカバレッジ拡張技法は、異なるカバレッジトレードオフ（trade-off）をもたらし得る。たとえば、複数のサブフレームにわたるデータの繰返しが、範囲、および／または受信信頼性を向上させ得るが、それはまた、潜在的なデータレートを低下させ得る。伝送電力を上げることもまた、範囲および／または信頼性を増大させ得るが、それはエネルギー使用量および他の伝送への干渉を増大させ得る。ワイヤレスデバイスは、それに対するトレードオフの価値が様々であり得る複数のチャネルを受信および送信し得る。たとえば、制御チャネルは、ユーザデータチャネルとは異なる信頼性配慮を有し得る。また、ブロードキャストチャネルは、２つ以上のワイヤレスデバイスに向けられ得るが、ユニキャストチャネルは、単一のデバイスに向けられ得る。
【００３３】
[0045]ワイヤレス通信システムにおけるカバレッジ拡張のための方法、システム、およびデバイスが説明される。基地局が、異なるチャネルに対して異なるカバレッジ拡張技法を選択し、選択されたカバレッジ拡張技法を使用してチャネルで送信または受信し得る。選択され得るカバレッジ拡張技法の例は、サブフレーム内の繰返し、異なるサブフレームにわたる繰返し、パワーブースティング、ビームフォーミング、および空間多重化を含む。これらの技法および他の技法が、単独でまたは組み合わせて使用され得る。たとえば、繰返し技法が、ブロードキャスト制御チャネルに選択されることがあり、空間多重化技法が、ユニキャストデータチャネルに選択されることがある。場合によっては、同様の技法が、異なるチャネルに選択されることがある。たとえば、１つのチャネルには、サブフレーム内の繰返しを使用する繰返し技法が選択されることがあり、別のチャネルには、サブフレーム内の繰返しのない、または異なる数の繰返しを使用する繰返し技法が選択されることがある。
【００３４】
[0046]異なるチャネルに異なるカバレッジ技法を選択することによって、基地局が異なるデータチャネルに対してより適切なトレードオフを行い得る。たとえば、セル内の異なる場所におけるいくつかのモバイルデバイスによる信頼できる受信を保証するために、制御チャネルが、高い繰返しレベルおよび／または高い伝送電力でブロードキャストされ得る。制御チャネルは、大量のデータを含まない可能性があり、したがってこの技法は、他の伝送に著しく干渉しない可能性があり、転送され得るデータの総量に重大な影響を与えない可能性がある。同時に、特定の方向により多くのエネルギーを送信するビームフォーミングアレイアンテナを使用することを含み得る空間多重化を使用して、基地局が、１つまたは複数の個々のモバイルデバイスに大量のデータを送信し得る。
【００３５】
[0047]本明細書に記載する技法は、ＣＤＭＡ、ＴＤＭＡ、ＦＤＭＡ、ＯＦＤＭＡ、ＳＣ−ＦＤＭＡ、およびその他のシステムなど、様々なワイヤレス通信システムに使用され得る。「システム」および「ネットワーク」という用語は、しばしば同義的に使用される。ＣＤＭＡシステムは、ＣＤＭＡ２０００、ユニバーサル地上無線アクセス（ＵＴＲＡ：Universal Terrestrial Radio Access）などの無線技術を実装し得る。ＣＤＭＡ２０００およびＵＭＢは、「第３世代パートナーシッププロジェクト２」（３ＧＰＰ２）と称する団体からの文書に記載されている。ＣＤＭＡ２０００は、ＩＳ−２０００、ＩＳ−９５、およびＩＳ−８５６規格を含む。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））とＣＤＭＡの他の変形態とを含む。ＴＤＭＡネットワークは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。
【００３６】
[0048]３ＧＰＰ（登録商標）のロングタームエボリューション（ＬＴＥ（登録商標））およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と称する団体からの文書に記載されている。本明細書において説明される技法は、上述のシステムおよび無線技術、ならびに他のシステムおよび無線技術に使用され得る。しかしながら以下の説明は、例示のためにＬＴＥシステムを説明し、下記の説明の多くにおいてＬＴＥ用語が使用されるが、この技法は、ＬＴＥ用途以外に適用できる。
【００３７】
[0049]したがって、以下の説明は例を提供するものであり、特許請求の範囲に記載の範囲、適用性、または構成の限定ではない。本開示の趣旨および範囲から逸脱することなく、論じられる要素の機能および構成において変更が行われ得る。様々な実施形態は、必要に応じて様々な手順または構成要素を省略、置換、または追加することができる。たとえば、説明する方法は、説明する順序とは異なる順序で実施され得、様々なステップが追加、省略、または組み合わせられ得る。また、いくつかの実施形態に関して記載される特徴が、他の実施形態において組み合わせられ得る。
【００３８】
[0050]まず図１を参照すると、図面は、ワイヤレス通信システム１００の例を示している。ワイヤレス通信システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を通してコアネットワーク１３０と制御情報および／またはユーザデータを通信し得る。バックホールリンク１３２は、有線のバックホールリンク（たとえば、銅、ファイバなど）および／またはワイヤレスバックホールリンク（たとえば、マイクロ波など）であり得る。実施形態では、基地局１０５は、有線またはワイヤレス通信リンクであり得るバックホールリンク１３４を通じて、直接または間接的に、互いに通信し得る。ワイヤレス通信システム１００は、複数のキャリア（様々な周波数の波形信号）上での動作をサポートすることができる。マルチキャリア送信機は、変調された信号を複数のキャリアで同時に送信することができる。たとえば、各通信リンク１２５が、上述の様々な無線技術により変調されたマルチキャリア信号であってよい。各変調された信号は、異なるキャリアで送られ得、制御情報（たとえば、基準信号、制御チャネルなど）、オーバヘッド情報、データなどを搬送し得る。通信リンク１２５は、時間および周波数次元において異なる物理リソースを使用して送信および受信され得る、異なるタイプのデータに対して、異なるチャネルにより編成され得る。異なるタイプの情報および／またはチャネルに、異なる伝送配慮が適用され得る。たとえば、いくつかのチャネルにはデータレートが優先事項であり得、他のチャネルには信頼性が優先事項であり得る。
【００３９】
[0051]基地局１０５は、１つまたは複数の基地局アンテナを介してデバイス１１５とワイヤレスに通信し得る。基地局の１０５のそれぞれは、それぞれの地理的カバレッジエリア１１０に通信カバレッジを提供し得る。いくつかの実施形態では、基地局１０５は、ベーストランシーバステーション、無線基地局、アクセスポイント、無線トランシーバ、基地サービスセット（ＢＳＳ）、拡張サービスセット（ＥＳＳ）、ＮｏｄｅＢ、ｅＮｏｄｅＢ（ｅＮＢ）、ホームＮｏｄｅＢ、ホームｅＮｏｄｅＢ、またはその他の好適な用語で呼ばれ得る。基地局のカバレッジエリア１１０は、カバレッジエリアの単に一部を構成するセクタ（図示せず）に分割され得る。システム１００は、異なるタイプの基地局１０５（たとえば、マクロ基地局、ミクロ基地局、および／またはピコ基地局）を含み得る。異なる技術に対して重複カバレッジエリアが存在することがある。
【００４０】
[0052]通信デバイス１１５は、ワイヤレス通信システム１００全体にわたって分散され得、各デバイスは固定式またはモバイルであり得る。通信デバイス１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、ユーザ機器（ＵＥ）、モバイルクライアント、クライアント、または何らかの他の好適な用語で呼ばれることもある。通信デバイス１１５は、ＭＴＣデバイス、セルラー電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。通信デバイスは、マクロ基地局、ピコ基地局、フェムト基地局、中継基地局などと通信することができ得る。
【００４１】
[0053]ワイヤレス通信システム１００に示す伝送リンク１２５は、通信デバイス１１５から基地局１０５への上りリンク（ＵＬ）伝送、および／または基地局１０５から通信デバイス１１５への下りリンク（ＤＬ）伝送を含み得る。下りリンク伝送は、フォワードリンク伝送と呼ばれることもあり、上りリンク伝送は、リバースリンク伝送と呼ばれることもある。
【００４２】
[0054]諸実施形態では、ワイヤレス通信システム１００は、ＬＴＥ／ＬＴＥ−Ａネットワークである。ＬＴＥ／ＬＴＥ−Ａネットワークでは、発展型ノードＢ（ｅＮＢ）およびユーザ機器（ＵＥ）という用語は一般に、それぞれ基地局１０５および通信デバイス１１５を表すために使用され得る。ワイヤレスシステム１００は、異なるタイプのｅＮＢが様々な地理的領域にカバレッジを提供する、異種ＬＴＥ／ＬＴＥ−Ａネットワークであり得る。たとえば、各ｅＮＢ１０５は、マクロセル、ピコセル、フェムトセル、および／または他のタイプのセルに通信カバレッジを提供し得る。マクロセルは、一般に、比較的大きい地理的エリア（たとえば、半径数キロメートル）をカバーし、ネットワークプロバイダとのサービス契約を有するＵＥによる無制限のアクセスを許容し得る。ピコセルは、一般に、比較的より小さい地理的エリアをカバーし、ネットワークプロバイダとのサービス契約を有するＵＥによる無制限のアクセスを許容し得る。また、フェムトセルは、一般に、比較的小さい地理的エリア（たとえば、自宅）をカバーすることになり、無制限アクセスに加えて、フェムトセルと関連するＵＥ（たとえば、限定加入者グループ（ＣＳＧ）内のＵＥ、自宅内のユーザ用のＵＥなど）による制限付きアクセスも提供することができる。マクロセルのためのｅＮＢは、マクロｅＮＢと呼ばれることがある。ピコセルのためのｅＮＢは、ピコｅＮＢと呼ばれることがある。またフェムトセルのためのｅＮＢは、フェムトｅＮＢまたはホームｅＮＢと呼ばれることがある。ｅＮＢは、１つまたは複数（たとえば、２つ、３つ、４つなど）のセルをサポートすることができる。
【００４３】
[0055]ＬＴＥ／ＬＴＥ−Ａネットワークアーキテクチャによるワイヤレス通信システム１００は、発展型パケットシステム（ＥＰＳ）１００と呼ばれることがある。ＥＰＳ１００は、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）１３０（たとえば、コアネットワーク１３０）と、ホーム加入者サーバ（ＨＳＳ：Home Subscriber Server）と、事業者のＩＰサービスとを含み得る。ＥＰＳは、他の無線アクセス技術を使用して他のアクセスネットワークと相互接続し得る。たとえば、ＥＰＳ１００は、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続し得る。ＵＥ１１５のモビリティおよび／または負荷分散をサポートするために、ＥＰＳ１００は、ソースｅＮＢ１０５とターゲットｅＮＢ１０５との間のＵＥ１１５のハンドオーバをサポートし得る。ＥＰＳ１００は、同じＲＡＴ（たとえば、他のＥ−ＵＴＲＡＮネットワーク）のｅＮＢ１０５および／または基地局間のＲＡＴ内ハンドオーバと、異なるＲＡＴ（たとえば、Ｅ−ＵＴＲＡＮ対ＣＤＭＡなど）のｅＮＢおよび／または基地局間のＲＡＴ間ハンドオーバとをサポートし得る。ＥＰＳ１００はパケット交換サービスを与え得るが、当業者なら容易に諒解するように、本開示全体にわたって提示される様々な概念は、回線交換サービスを与えるネットワークに拡張され得る。
【００４４】
[0056]Ｅ−ＵＴＲＡＮは、ｅＮＢ１０５を含むことができ、ＵＥ１１５に対してユーザプレーンプロトコル終端と制御プレーンプロトコル終端とを与えることができる。ｅＮＢ１０５は、バックホールリンク１３４（たとえば、Ｘ２インターフェースなど）を介して他のｅＮＢ１０５に接続され得る。ｅＮＢ１０５は、ＵＥ１１５にＥＰＣ１３０へのアクセスポイントを与え得る。ｅＮＢ１０５は、バックホールリンク１３２（たとえば、Ｓ１インターフェースなど）によってＥＰＣ１３０に接続され得る。ＥＰＣ１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイ（図示せず）とを含み得る。概して、ＭＭＥはベアラおよび接続管理を行い得る。すべてのユーザＩＰパケットは、サービングゲートウェイを通して転送され得、サービングゲートウェイ自体はＰＤＮゲートウェイに接続され得る。ＰＤＮゲートウェイは、ＵＥのＩＰアドレス割振りならびに他の機能を提供し得る。ＰＤＮゲートウェイは、ＩＰネットワークおよび／または事業者のＩＰサービスに接続され得る。これらの論理ノードは、別個の物理ノードで実装され得る、または１つもしくは複数は、単一の物理ノードに結合され得る。ＩＰネットワーク／事業者のＩＰサービスは、インターネット、イントラネット、ＩＰマルチメディアサブシステム（ＩＭＳ）、および／またはパケット交換（ＰＳ）ストリーミングサービス（ＰＳＳ）を含み得る。
【００４５】
[0057]複数のｅＮＢ１０５が、たとえば、多地点協調（ＣｏＭＰ：Coordinated Multi-Point）または他の方式を通して、複数のＵＥ１１５と協力して通信するように構成され得る。ＣｏＭＰは、ＵＥのための全体的な伝送品質を向上させるための、ならびにネットワークおよびスペクトル利用を増やす、いくつかのｅＮＢによる送受信の動的調整のための技法を含む。一般に、ＣｏＭＰ技法は、ＵＥ１１５のための制御プレーン通信とユーザプレーン通信とを協調させるために、基地局１０５間の通信のためにバックホールリンク１３２および／または１３４を利用する。ｅＮＢ１０５および／またはＵＥ１１５は、複数のアンテナを有し得、複数のデータストリームを送信するためにマルチパス環境を活用するための多入力多出力（ＭＩＭＯ）技法を使用し得る。
【００４６】
[0058]開示する様々な実施形態のいくつかを収容し得る通信ネットワークは、階層化されたプロトコルスタックにより動作するパケットベースのネットワークであってよい。ユーザプレーンでは、ベアラまたはパケットデータ収束プロトコル（ＰＤＣＰ：Packet Data Convergence Protocol）レイヤにおける通信は、ＩＰベースであってよい。無線リンク制御（ＲＬＣ：Radio Link Control）レイヤが、論理チャネルを通じて通信するために、パケット分割および再組立てを行い得る。媒体アクセス制御（ＭＡＣ）レイヤは、論理チャネルの優先処理（priority handling）および多重化を行ってトランスポートチャネルにし得る。ＭＡＣレイヤはまた、信頼性の高いデータ送信を保証するためにＭＡＣレイヤにおいて再伝送を行うために、ハイブリッド自動再送要求（ＨＡＲＱ）技法を使用し得る。制御プレーンにおいて、無線リソース制御（ＲＲＣ）プロトコルレイヤは、ＵＥとユーザプレーンデータに使用されるネットワークとの間のＲＲＣ接続の確立、構成、および維持管理を行い得る。物理レイヤにおいて、トランスポートチャネルは物理チャネルにマッピングされ得る。
【００４７】
[0059]システム１００は、たとえば、カバレッジエリア１１０のサイズを増大させる、または既存のカバレッジエリア１１０内のＵＥ１１５によりよいサービスを提供するために、カバレッジ拡張技法を使用するように構成され得る。ｅＮＢ１０５が、異なるチャネルに対して異なるカバレッジ拡張技法を選択し、選択されたカバレッジ拡張技法を使用してチャネルで送信し得る。選択され得るカバレッジ拡張技法の例には、サブフレーム内の繰返し、異なるサブフレームにわたる繰返し、パワーブースティング、および空間多重化が含まれる。拡張された空間多重化技法は、方位角および高度に従ってエネルギーを方向付けることによる三次元空間多重化を含み得る。たとえば、伝送は、高層ビルのあるフロアのユーザに方向付けされ得る。ｅＮＢ１０５は、特定のチャネルの伝送リソースを共有する異なるＵＥに、異なるカバレッジ拡張技法を選択し得る。
【００４８】
[0060]ＬＴＥ−ＡにおけるＭＴＣデバイスについては、カバレッジ拡張技法は、以前の技術よりも最大１５ｄＢカバレッジを拡張するように使用され得る。場合によっては、チャネルは、カバレッジ拡張要求を満たそうとして複数のサブフレームにわたって繰り返し送信される。たとえば、物理ブロードキャストチャネル（ＰＢＣＨ：physical broadcast channel）、物理ランダムアクセスチャネル（ＰＲＡＣＨ：physical random access channel）および関連するメッセージ、物理上りリンク共有チャネル（ＰＵＳＣＨ：physical uplink shared channel）、物理上りリンク制御チャネル（ＰＵＣＣＨ：physical uplink control channel）、物理下りリンク制御チャネル（ＰＤＣＣＨ）、拡張されたＰＤＣＣＨ（ＥＰＤＣＣＨ：enhanced PDCCH）、および物理下りリンク共有チャネル（ＰＤＳＣＨ）を含む様々な物理チャネルが、ＵＥ１１５またはｅＮＢ１０５から繰り返し送信され得る。繰返しの数は、約数十サブフレームであることが可能であり、異なるチャネルは、異なる繰返しレベルを有し得る。そのようなカバレッジ拡張は、ＵＥ能力（capability）として示され得、他のタイプのＵＥ１１５（たとえば、非ＭＴＣ  ＵＥ）に拡張され得る。
【００４９】
[0061]場合によっては、ワイヤレス技術は、基地局において、単に一次元で配置された、最大８送信アンテナをサポートし得る。これは、水平方向において、空間多重化またはシングルユーザ多入力多出力（ＳＵ−ＭＩＭＯ：single user multiple-input, multiple output）を可能にし得る。さらに、またはあるいは、より高位のＭＩＭＯ、８より多くの送信アンテナに基づくビームフォーミング、ならびに／またはピークデータレートおよび／もしくはビームフォーミングを拡張するように設計された２次元システムがサポートされ得る。三次元で（たとえば、仰角で）アンテナを組み込むと、垂直平面においてもビームフォーミングが可能となり得、たとえば高層ビルにおいて異なるフロアをサポートする。たとえば、６４アンテナを有する２次元アンテナアレイシステムでは、二次元プレーン上に８×８アンテナのグリッドが配置され得る。水平ビームフォーミングならびに垂直ビームフォーミングが、方位および仰角の両方においてビームフォーミングおよび／または空間多重化を活用するために使用され得る。場合によっては、改善されたビームフォーミング利得は、アンテナ数をより多くすることで達成され得、これはセルカバレッジを改善する助けとなり得る。たとえば、送信ダイバーシチと比較すると、ビームフォーミング利得は、１０ｄＢよりも多くなり得る。
【００５０】
[0062]次に図２を見ると、図面は、様々な実施形態に従ってワイヤレス通信システム２００を示している。ワイヤレス通信システム２００は、図１に関して説明したワイヤレス通信システム１００の一部の例であってよい。システム２００は、カバレッジエリア１１０−ａを有するｅＮＢ１０５−ａと、ＵＥ１１５−ａとを含んでいる。システム２００の構成要素は、システム１００の対応する構成要素の一例であってよい。
【００５１】
[0063]ｅＮＢ１０５−ａは、伝送リンク１２５−ａおよび１２５−ｂを介してそれぞれＵＥ１１５−ａおよび１１５−ｂと通信し得る。伝送リンク１２５−ａおよび１２５−ｂは、物理チャネル２２５−ａおよび２２５−ｂに構成されたキャリアを使用して確立され得る。チャネル２２５−ａは、チャネル２２５−ｂとは異なるタイプの情報を送信および／または受信するために使用され得る。チャネルは、ともにＤＬ伝送に使用され得る、チャネルはともにＵＬ伝送に使用され得る、または一方がＵＬチャネルであり得、もう一方がＤＬチャネルであり得る。
【００５２】
[0064]下りリンク物理チャネル２２５は、物理ブロードキャストチャネル（ＰＢＣＨ）、物理制御フォーマット指標チャネル（ＰＣＦＩＣＨ：physical control format indicator channel）、物理下りリンク制御チャネル（ＰＤＣＣＨ）、物理ハイブリッドＡＲＱ指標チャネル（ＰＨＩＣＨ：physical hybrid ARQ indicator channel）、物理下りリンク共有チャネル（ＰＤＳＣＨ）、および物理マルチキャストチャネル（ＰＭＣＨ：physical multicast channel）を含み得る。場合によっては、チャネルは、変更または拡張され得る。たとえば、システム２００は、従来のＰＤＣＣＨに比べてリソースの使用においてより柔軟性を提供する、拡張された物理下りリンク制御チャネル（ＥＰＤＣＣＨ）を利用し得る。
【００５３】
[0065]ＰＤＣＣＨおよびＥＰＤＣＣＨは、下りリンクスケジューリング割当てに関する情報、上りリンクリソースグランド、伝送方式、上りリンク電力制御、ハイブリッド自動再送要求（ＨＡＲＱ）情報、変調および符号化方式（ＭＣＳ： modulation and coding scheme）、および下りリンク制御情報（ＤＣＩ：downlink control information）として知られているメッセージ中の他の情報を搬送する。ＤＣＩメッセージのサイズは、ＤＣＩフォーマットおよび伝送帯域幅によって決まり得る。アグリゲーションレベルは、単一のＤＣＩペイロードを運ぶために利用される論理的または物理的に連続した制御チャネル要素（ＣＣＥ：control channel element）の数を指定する。アグリゲーションレベルＬは、Ｌ個の、ＰＤＣＣＨ用のＣＣＥまたはＥＰＤＣＣＨ用の拡張された制御チャネル要素（ＥＣＣＥ）を利用し得る。ユーザ機器が、ブラインド復号として知られているプロセスを行うことによってＤＣＩを復号しようと試み、その間に、ＤＣＩが検出されるまで、探索空間に従って複数の復号の試みが実行される。探索空間は、共通探索空間、およびＵＥ固有の（専用）探索空間という、２つの領域に分割され得る。共通探索空間は、ｅＮＢによってサービスを提供されるすべてのＵＥによって監視され、ページング情報、システム情報、ランダムアクセス手順などの情報を含むことができる。ＵＥ固有の探索空間は、ユーザ固有の制御情報を含み、各ＵＥに個別に構成される。ＵＥにおいて行われる計算を削減するために、各探索空間は、あらかじめ定義された場所およびアグリゲーションレベルにおいて、いくつかのＤＣＩ候補を含み得る。
【００５４】
[0066]ＬＴＥ／ＬＴＥ−Ａでは、共通の探索空間は、２つの可能なアグリゲーションレベル、レベル−４（たとえば、４個のＣＣＥ）と、レベル−８（たとえば、８個のＣＣＥ）とを含み得る。ＰＤＣＣＨに基づくＵＥ固有の探索空間は、４つのアグリゲーションレベル、１、２、４、または８を含むように構成され得、それぞれ１個、２個、４個、および８個のＣＣＥに対応する。
【００５５】
[0067]上りリンク物理チャネル２２５は、物理ランダムアクセスチャネル（ＰＲＡＣＨ：physical random access channel）、チャネル品質指標チャネル（ＣＱＩＣＨ：channel quality indicator channel）、確認応答チャネル（ＡＣＫＣＨ：acknowledgement channel）、アンテナサブセット指標チャネル（ＡＳＩＣＨ：antenna subset indicator channel）、広帯域パイロットチャネル（ＢＰＩＣＨ：broadband pilot channel）、物理上りリンク制御チャネル（ＰＵＣＣＨ）、および物理上りリンク共有チャネル（ＰＵＳＣＨ）のうちの少なくとも１つを含み得る。
【００５６】
[0068]いくつかの実施形態では、チャネル２２５−ａは、チャネル２２５−ｂを通じたデータ伝送と関連する制御シグナリング（たとえば、ＤＣＩなど）を搬送し得る。たとえば、チャネル２２５−ａは、ＰＤＣＣＨであってよく、チャネル２２５−ｂは、ＰＤＳＣＨであってよい。この点において、特定のＵＥ１１５に情報を伝えることは、異なるカバレッジ拡張技法を利用するチャネル２２５−ａおよび２２５−ｂのそれぞれを通じた伝送を含み得る。チャネル２２５−ａおよびチャネル２２５−ｂは、同時に送信され得る、またはこれらは、異なる時間期間に送信され得る。場合によっては、チャネル２２５−ａは、チャネル２２５−ｂとは異なる伝送優先事項を有することがある。たとえば、チャネル２２５−ａは、信頼できる受信を優先することがあり、チャネル２２５−ｂは、データレートを優先することがある。チャネル２２５−ａおよびチャネル２２５−ｂは、ブロードキャストチャネル、グループキャストチャネル、またはユニキャストチャネルであることがある。
【００５７】
[0069]一実施形態では、チャネル２２５−ａおよびチャネル２２５−ｂは、ＤＬチャネルであり、ｅＮＢ１０５−ａは、ＵＥ１１５−ａとの最適な通信を保証するために、チャネルの伝送に異なるカバレッジ拡張技法を選択し得る。たとえば、ｅＮＢ１０５−ａは、繰返し技法を使用してチャネル２２５−ａを、パワーブースティング技法を使用してチャネル２２５−ｂを送信し得る。別の例として、ｅＮＢ１０５−ａは、繰返し技法を使用してチャネル２２５−ａを、空間多重化を使用してチャネル２２５−ｂを送信し得る。チャネル２２５−ａがブロードキャスト制御チャネルである場合、繰返し技法を使用して、ＵＥ１１５−ａおよびＵＥ１１５−ｂを含むいくつかのＵＥ１１５への信頼できる伝送を促進し得る。チャネル２２５−ｂがユニキャストチャネルである場合、空間多重化が、複数の並列データストリームをＵＥ１１５−ａに送信することによって、より高いデータレートを促進し得、ＵＥ１１５−ｂの方向により多くのエネルギーを送信するために、ビームフォーミングが使用され得る。
【００５８】
[0070]場合によっては、同じチャネルでの伝送に、異なるカバレッジ拡張技法が使用され得るが、それらは異なる目的（たとえば、ブロードキャスト対ユニキャスト）で使用され得る。たとえば、ブロードキャスト伝送またはグループキャスト伝送に、繰返しが使用され得、ＰＤＳＣＨでのユニキャスト送信に、ブロードキャストが使用され得る。場合によっては、ｅＮＢ１０５−ａは、特定のチャネルの伝送リソースを共有する異なるＵＥに、異なるカバレッジ拡張技法を選択し得る。たとえば、ｅＮＢ１０５−ａは、マルチパス環境の影響下にあるＵＥ（たとえば、ＵＥ１１５−ａなど）へのＰＤＳＣＨ伝送に空間多重化を利用すると同時に、セルエッジのＵＥ（たとえば、ＵＥ１１５−ｂなど）へのＰＤＳＣＨ伝送にビームフォーミングを利用し得る。
【００５９】
[0071]場合によっては、非ＭＴＣ  ＵＥ１１５が、大規模ＭＩＭＯセル（たとえば、オプションとしてセル内に分配される複数の送信アンテナおよび受信アンテナを有するマクロセルなど）においてカバレッジ拡張が可能であるＭＴＣ  ＵＥ１１５のように見えることがある。そのようなＵＥ１１５は、最初に、繰返しによるカバレッジ拡張を使用してシステムにアクセスし、ＵＥ１１５はビームフォーミング動作が可能であることも示し得る。ｅＮＢは、８よりも大きいアグリゲーションレベルのＰＤＣＣＨを使用してＵＥとのユニキャストを行って、ともにビームフォーミング動作で、ビームフォーミングされたユニキャストＰＤＳＣＨ、またはＥＰＤＣＣＨ／ＰＤＳＣＨを行い得る。
【００６０】
[0072]いくつかの実施形態では、チャネルのためのカバレッジ拡張技法は、明示的にまたは暗黙的に、ＵＥに信号で伝えられ得る。たとえば、選択されるカバレッジ拡張技法は、割当てのための探索空間によって決まり得る。一例では、ユニキャストＰＤＳＣＨは、共通探索空間にＤＣＩによってスケジューリングされるとき、繰返しによるカバレッジ拡張技法を利用し得るが、ユニキャストＰＤＳＣＨは、ＵＥ固有の探索空間にＤＣＩによってスケジューリングされるとき、ビームフォーミングによるカバレッジ拡張を有し得る。別の例では、ユニキャストＰＤＳＣＨは、共通探索空間にＤＣＩによってスケジューリングされるとき、第１の繰返しレベル（Ｌ１）で繰返しを利用し得るが、ユニキャストＰＤＳＣＨは、ＵＥ固有の探索空間にＤＣＩによってスケジューリングされるとき、ビームフォーミングおよび第２の、より低い繰返しレベル（Ｌ２、ここでＬ２＜Ｌ１）を有し得る。
【００６１】
[0073]一実施形態では、大きいカバレッジエリア１１０を有するｅＮＢ１０５については、ｅＮＢ１０５にある多数の受信アンテナが、ＤＬとＵＬとのカバレッジミスマッチのバランスをとる助けとなり得る。場合によっては、ＵＥ１１５からのＵＬ伝送を受信するためにｅＮＢ１０５において受信機ビームフォーミングが可能である。環境に応じて、受信機ビームフォーミングが、ＰＵＣＣＨおよび／またはＰＵＳＣＨに対して繰返しの削減を可能にし得る。たとえば、ＰＵＣＣＨおよび／またはＰＵＳＣＨに対する繰返しレベルは、ＤＬチャネル（たとえば、ブロードキャストＰＤＳＣＨなど）に比べると、低減され得る。
【００６２】
[0074]場合によっては、ビームフォーミング動作を有効にするために、高品質チャネルフィードバックが使用され得る。場合によっては、しかしながらカバレッジ拡張に焦点を当てることにより、高ランク伝送が利用されないことがある（たとえば、ランクは２以下であることがある）。他の場合では、サブバンドチャネル品質情報（ＣＱＩ：channel quality information）またはプリコーディング行列指標（ＰＭＩ：precoding matrix indicator）が利用されないことがある。そのような場合、ワイドバンドＰＭＩおよびワイドバンドＣＱＩで十分であり得る。これは、ＵＬオーバヘッドを削減するのに役立ち、したがってよりよいＵＬカバレッジを提供し得る。場合によっては、制御およびデータに対して別個のチャネル状態情報（ＣＳＩ）フィードバックが、サポートされ得る。
【００６３】
[0075]次に図３を見ると、図面は、様々な実施形態による、繰返しを含む、カバレッジ拡張技法に使用され得るコンポーネントキャリアについてのリソースのフレーム構造３００を示す。フレーム構造３００は、図１および図２に関して説明したシステム１００およびシステム２００などのワイヤレス通信システムにおいて使用され得る。キャリア３５０についての時間リソースは、フレーム３０５と呼ばれる１０ミリ秒（ｍｓ）期間に分割され得る。フレーム３０５は、１０個（１０）の１ｍｓサブフレーム３１０にさらに分けられ得る。サブフレーム３１０は、２個の０．５ｍｓのスロット３１５にさらに分けられ得、各スロット３１５は、いくつかのシンボル期間３２０に分けられ得る。たとえば、スロット３１５は、７個のシンボル期間３２０に分けられ得る。
【００６４】
[0076]周波数リソースは、サブキャリア３２５に分けられ得る。隣接するサブキャリア３２５間の間隔は定められ得、サブキャリアの総数（Ｋ）はシステム帯域幅によって決まり得る。たとえば、Ｋは、の対応するシステム帯域幅（ガードバンドあり）、１．４、３、５、１０、１５、または２０メガヘルツ（ＭＨｚ）に対して、それぞれ１５キロヘルツ（ＫＨｚ）のサブキャリア間隔を有する７２、１８０、３００、６００、９００、または１２００に等しくなり得る。またシステム帯域幅は、サブバンドに分割され得る。たとえば、サブバンドが１．０８ＭＨｚをカバーすることがあり、１個、２個、４個、８個、または１６個のサブバンドが存在し得る。
【００６５】
[0077]１つのシンボル期間３２０ごとの１つの周波数サブキャリア３２５が、単一のリソース要素３３０になり、これが単一の変調シンボルで変調され得る。変調シンボルは、変調および符号化方式（ＭＣＳ）によって決まるいくつかのビットのデータを含んだ波形であり得る。物理リソースブロック（ＰＲＢ）３３５は、１つのスロット、すなわち７シンボル期間に、１２個のサブキャリアを含む。したがって、各ＰＲＢ３３５は、８４個のリソース要素を含み得る。場合によっては、ＰＲＢ３３５は、異なる構成を有するリソースを割り振るための基本単位（basic unit）であってよい。ＰＲＢ３３５は、キャリア上で時間および／または周波数ごとに分割され得る、複数の伝送チャネルからのシンボルを含み得る。たとえば、それは、制御チャネル３４５の伝送用のシンボルと、データチャネル３４０用のシンボルの両方を含み得る。
【００６６】
[0078]場合によっては、図示していないが、いくつかの制御チャネル要素（ＣＣＥ）が、１つまたは複数の制御チャネルからの情報を送るために使用され得る。単一のＣＣＥが、３６個のリソース要素３３０のセットを含み得、これが、場合によってはフレームの初めに複数のサブキャリア３２５上で送信され得る。制御チャネル情報を送るために使用されるＣＣＥの数は、アグリゲーションレベルと呼ばれ得る。最大アグリゲーションレベルは、システム帯域幅によって決まり得る。すなわち、最大アグリゲーションレベルは、伝送に利用できるサブキャリア３２５の数によって決まり得る。
【００６７】
[0079]繰返しを含むカバレッジ拡張技法は、サブフレーム内の（サブフレーム内の繰返し）または数サブフレームにわたる（サブフレーム間の繰返し）変調シンボルの繰返しを含み得る。図４Ａは、サブフレームセット４２０にわたるサブフレーム間繰返しを表すタイミング図４００−ａを示す。たとえば、ＤＣＩ４３０−ａは、サブフレームセット４２０−ａにわたって繰り返され得、サブフレームセット４２０−ａは、サブフレームセット４２０−ａの各サブフレーム３１０にＤＣＩ４３０−ａの繰返しを含み得る。ＤＣＩ４３０−ａは、コードワード４３５−ａの伝送のためのリソースの割当てを提供し得、コードワード４３５−ａは、サブフレーム４２０−ｂにわたって繰り返され得る。サブフレームセット４２０−ａは、Ｍ個のサブフレーム３１０を含み得、サブフレームセット４２０−ｂは、Ｎ個のサブフレームを含み、ここでＭは、Ｎと同じ、Ｎよりも小さい、またはＮよりも大きいことがある。サブフレームセット４２０−ｂは、場合によっては、サブフレームセット４２０−ａと一部または完全に重なることがある。制御シグナリングまたはデータシグナリングの繰返し用のサブフレームセット４２０は、場合によっては、連続したサブフレーム、または連続していないサブフレームを含み得る。
【００６８】
[0080]サブフレーム内の繰返しについては、１つまたは複数の変調シンボルが、サブフレーム内の時間−周波数リソース（たとえば、リソース要素、制御チャネル要素（ＣＣＥ）、ＰＲＢなど）で繰り返される。１つまたは複数の変調シンボルは、連続した時間−周波数リソースにおいて繰り返され得る、または１つまたは複数の変調シンボルは、サブフレームを通して連続していない時間−周波数リソースにおいて繰り返され得る。
【００６９】
[0081]変調シンボルのいくつかの繰返しは、バンドルと呼ばれ得る。本明細書で使用するバンドリングサイズ、バンドリング長、またはバンドル伝送のサイズという用語は、変調シンボルの繰返しの数を指し得る。さらに、またはあるいは、バンドリングサイズ、バンドリング長、またはバンドル伝送のサイズは、繰り返される変調シンボル、繰り返される信号、繰り返される信号などを有する連続した伝送時間間隔（ＴＴＩ）の数を指し得る。
【００７０】
[0082]図４Ｂは、サブフレーム３１０−ａのＰＤＣＣＨ内のＤＣＩ４３０−ｂ、およびＰＤＳＣＨ内のコードワード４３５−ｂの繰返しの例を表す図４００−ｂを示す。一実施形態では、サブフレーム内のＤＣＩの繰返しは、カバレッジ拡張なしの公称レベルよりも大きい最大アグリゲーションレベルを監視することを含み得る。場合によっては、これは、１６以上の最大アグリゲーションレベルを監視することを含み得る。たとえば、ＰＤＣＣＨに対して８という最大アグリゲーションレベルではなく、ワイヤレスシステムが、サブフレームのＰＤＣＣＨに対してアグリゲーションレベル３２、または６４をサポートし得る。いくつかの実施形態では、ＤＣＩの繰返しは、アグリゲーションレベルのセットへの制約を含み得る。たとえば、カバレッジ拡張を使用するＭＴＣ  ＵＥ１１５が、アグリゲーションレベル４および８のみを使用してユーザ固有の探索空間でＤＣＩを監視し得、カバレッジ拡張を必要としないＵＥ１１５が、既存のアグリゲーションレベル（たとえば、１、２、４、または８）を使用し得る。いくつかの実施形態では、カバレッジ拡張を利用するＵＥ１１５が、少なくとも１つのより高いアグリゲーションレベルを含めることによってアグリゲーションレベルの拡張されたセットを監視し得る。たとえば、ＭＴＣ  ＵＥ１１５が、アグリゲーションレベル８、１６、および３２のＰＤＣＣＨ候補を監視し得る。
【００７１】
[0083]どのアグリゲーションレベルを監視するかを決定することは、変化する可能性があるカバレッジ拡張必要性の関数であり得る。たとえば、ＵＥ１１５は、場合によっては、カバレッジ拡張を必要としないことがあるが、他の場面では、ＵＥ１１５は、たとえば５ｄＢまたは２０ｄＢのカバレッジ拡張必要性を有することがある。したがって、ＵＥ１１５が、カバレッジ拡張必要性を決定し得、決定された必要性に基づいて制御チャネルを監視し得る。すなわち、ＵＥ１１５は、カバレッジ拡張必要性と関連したアグリゲーションレベルを識別し得、それに応じてＵＥ１１５は、そのアグリゲーションレベルを監視し得る。ＵＥ１１５のカバレッジ拡張必要性は、変化するまたは変動することがあるので、ＵＥ１１５は、以前のカバレッジ拡張に使用されたアグリゲーションレベルとは異なるアグリゲーションレベルを識別および監視することがある。ＵＥ１１５は、様々な例において、ＤＣＩ４３０−ｂかコードワード４３５−ｂのいずれか、または両方を監視することがある。ＵＥ１１５は、したがってＰＤＣＣＨか、ＥＰＤＤＣＨ、または両方を監視することがある。
【００７２】
[0084]場合によっては、１つまたは複数の変調シンボルは、サブフレーム内と異なるサブフレームにわたっての両方で繰り返され得る。諸実施形態では、ＤＣＩに対するより大きいアグリゲーションレベルが使用されて、数サブフレームにわたるＰＤＣＣＨ繰返しの数を削減し得る。たとえば、ＤＣＩを１２回繰り返すことによってカバレッジ拡張が行われる場合、ＤＣＩは、ＤＣＩがより高いアグリゲーションレベルを使用して送信される各サブフレーム内で４回繰り返され得、より高いアグリゲーションレベルを有するＤＣＩは、３サブフレームにわたって繰り返される。
【００７３】
[0085]セルにおける利用できるＣＣＥの最大数は、システム帯域幅によって決まり得る。たとえば、１．４ＭＨｚシステム、利用できるＣＣＥの最大数は、８未満であり得る。２０ＭＨｚシステムについては、利用できるＣＣＥの最大数は、８０よりも大きいことがある。同様に、セルにおける利用できるＥＣＣＥの最大数は、構成されるリソースブロックの数によって決まり得る。たとえば、単に２ＰＲＢが構成される場合、最大８個のＥＣＣＥが利用可能であり得る。８ＰＲＢが構成される場合、最大３２個のＥＣＣＥが利用可能であり得る。
【００７４】
[0086]場合によっては、カバレッジ拡張を利用するＵＥ１１５に対するアグリゲーションレベルは、帯域幅によって決まることがある。たとえば、１０ＭＨｚ以上については、レベル８、レベル１６、およびレベル３２復号候補へのサポートが存在し得る。１０ＭＨｚ未満については、レベル４、レベル８、およびレベル１６へのサポートが存在し得る。ＰＤＣＣＨ／ＥＰＤＣＣＨについての異なるサブフレームにわたる繰返しの数もまた、サブフレームによって決まり得る。場合によっては、利用できるＣＣＥの数は、４または８で割り切れないものであり得、さらなるアグリゲーションレベルがサポートされ得る。たとえば、１．４ＭＨｚについては、７個のＣＣＥのみが利用可能である場合、レベル７復号候補へのサポートが存在し得る。
【００７５】
[0087]カバレッジ拡張のために、より大きいアグリゲーションレベルに加えて、パワーブースティングがサポートされ得る。サポートするアグリゲーションレベルのセットおよび／またはＰＤＣＣＨ／ＥＰＤＣＣＨについての異なるサブフレームにわたる繰返しの数は、システム帯域幅に基づいて暗黙的に導出される、または明示的に表示される、たとえばＳＩＢ１などのシステム情報に表示されることが可能である。
【００７６】
[0088]様々なカバレッジ拡張技法が、様々な下りリンク物理チャネルに選択され、適用され得る。場合によっては、１つのカバレッジ拡張技法が、１つの物理チャネルに選択され、適用され得、第２の、異なるカバレッジ拡張技法が、異なる物理チャネルに選択され、適用され得る。たとえば、異なるサブフレームにわたる繰返し技法が、ＰＢＣＨに適用され得、サブフレーム内の繰返しが、ＰＤＣＣＨに適用され得る。または、場合によっては、ユニキャストＰＤＳＣＨまたはＥＰＤＣＣＨのための拡張されたビームフォーミングが使用され得、パワーブースティング（または技法の組合せ）が、別のチャネルに適用され得る。いくつかの例では、伝送タイプに基づいてＥＰＤＣＣＨに異なるカバレッジ拡張技法が選択され、適用され得る。たとえば、１つのカバレッジ拡張技法が、分散ＥＰＤＣＣＨ伝送モードに選択され、適用され得、第２の、異なるカバレッジ拡張技法が、局部ＥＰＤＣＣＨ伝送モードに選択され、適用され得る。いくつかの例では、２つ以上のリソースセットがＵＥに対して構成されるとき、リソースセットに基づいてＥＰＤＣＣＨに異なるカバレッジ拡張技法が選択され、適用され得る。たとえば、１つのカバレッジ拡張技法が、第１のＥＰＤＣＣＨリソースセットに選択され、適用され得、第２の、異なるカバレッジ拡張技法が、第２のＥＰＤＣＣＨリソースセットに選択され、適用され得る。
【００７７】
[0089]上述のチャネルの１つまたは複数が、カバレッジ拡張優先事項に対応するために、複数のサブフレームにわたる繰返しを利用し得る。繰返しを利用するチャネルの例は、ＰＢＣＨ、ＰＲＡＣＨ、ＲＡＣＨメッセージ２、ＰＵＳＣＨ、ＰＵＣＣＨ、ＰＤＣＣＨ、ＥＰＤＣＣＨ、ＰＤＳＣＨを含み得る。
【００７８】
[0090]次に図５を見ると、ブロック図が、様々な実施形態に従ったワイヤレス通信システムにおけるカバレッジ拡張のためのデバイス５００を示している。デバイス５００は、図１および図２に関して説明したｅＮＢ１０５またはＵＥ１１５の１つまたは複数の態様の一例であってよい。デバイス５００は、受信機５０５、カバレッジ拡張モジュール５１０、および／または送信機５１５を含み得る。デバイス５００は、プロセッサ（図示せず）も含み得る。これらの構成要素のそれぞれは、互いに通信している可能性がある。
【００７９】
[0091]受信機５０５は、パケット、ユーザデータ、および／または様々な情報チャネルと関連する制御情報などの情報を受信し得る。システム情報は、カバレッジ拡張モジュール５１０に、およびデバイス５００の他の構成要素に、伝えられ得る。
【００８０】
[0092]カバレッジ拡張モジュール５１０は、異なるサブフレームにわたる繰返しまたはパワーブースティングのうちの少なくとも１つを含むカバレッジ拡張技法のセットから第１のチャネルのために第１のカバレッジ拡張技法を選択するための手段であり得る。カバレッジ拡張モジュール５１０はまた、カバレッジ拡張技法のセットから第２のチャネルに、第１のカバレッジ拡張技法とは異なる第２のカバレッジ拡張技法を選択するための手段であり得る。１つの実施形態では、カバレッジ拡張モジュール５１０は、カバレッジ拡張技法のセットから第２のチャネルに第３のカバレッジ拡張技法を選択するための手段でもあり得る。情報および命令は、カバレッジ拡張モジュール５１０からプロセッサ（図示せず）、受信機５０５、送信機５１５、またはデバイス５００の他の構成要素に伝えられ得る。
【００８１】
[0093]いくつかの例では、カバレッジ拡張モジュール５１０は、ＵＥに対してカバレッジ拡張必要性を決定するための、および決定されたカバレッジ拡張必要性に基づいて制御チャネルを監視するための手段である。デバイス５００は、したがって様々なまたは変化するカバレッジ拡張必要性に適応し得る。
【００８２】
[0094]送信機５１５は、デバイス５００の他の構成要素から受信される１つまたは複数の信号を送信し得る。いくつかの実施形態では、送信機５１５は、トランシーバモジュールに受信機とともに配置され得る。送信機５１５は、単一のアンテナを含み得る、または送信機５１５は、複数のアンテナを含み得る。送信機５１５は、第１のカバレッジ拡張技法を使用して第１のチャネルでデータの第１の部分を送信するための手段であり得る。送信機５１５はまた、第２のカバレッジ拡張技法を使用して第２のチャネルでデータの第２の部分を送信するための手段であり得る。１つの実施形態では、送信機５１５はまた、第３のカバレッジ拡張技法を使用して第２のチャネルでデータの第３の部分を送信するための手段であり得る。
【００８３】
[0095]次に図６Ａを見ると、ブロック図が、様々な実施形態に従ったワイヤレス通信システムにおけるカバレッジ拡張のためのデバイス６００−ａを示している。デバイス６００−ａは、図１および図２に関して説明したｅＮＢ１０５の１つまたは複数の態様の一例であってよい。またデバイス６００−ａは、図５に関して説明したデバイス５００の一例であってよい。デバイス６００は、受信機５０５−ａ、カバレッジ拡張モジュール５１０−ａ、および／または送信機５１５−ａを含み得、これらはデバイス５００の対応する構成要素の例であってよい。デバイス６００は、プロセッサ（図示せず）も含み得る。これらの構成要素のそれぞれが、互いに通信している可能性がある。カバレッジ拡張モジュール５１０−ａは、第１のカバレッジ拡張技法（ＣＥＴ：coverage enhancement technique）モジュール６０５と、第２のＣＥＴモジュール６１０と、繰返しモジュール６１５と、パワーブースティングモジュール６２０と、空間多重化モジュール６２５と、ビームフォーミングモジュール６３０とを含み得る。
【００８４】
[0096]第１のＣＥＴモジュール６０５は、異なるサブフレームにわたる繰返しまたはパワーブースティングのうちの少なくとも１つを含むカバレッジ拡張技法のセットから第１のチャネルのために第１のカバレッジ拡張技法を選択するための手段であり得る。場合によっては、第１のチャネルは、ブロードキャストまたはグループキャストチャネルを含み、第１のカバレッジ拡張技法は、異なるサブフレームにわたる繰返しを含む。場合によっては、第１のチャネルは、ＰＤＣＣＨを含み、第２のカバレッジ拡張技法は、サブフレーム内の繰返しを備える。
【００８５】
[0097]第２のＣＥＴモジュール６１０は、カバレッジ拡張技法のセットから第２のチャネルに、第１のカバレッジ拡張技法とは異なる第２のカバレッジ拡張技法を選択するための手段であり得る。場合によっては、第２のチャネルは、ユニキャストチャネルを備え、第２のカバレッジ拡張技法は、空間多重化のためのプリコーディングを備える。場合によっては、第２のチャネルは、ＰＤＳＣＨを備える。場合によっては、第２のカバレッジ拡張技法は、ビームフォーミングを備える。
【００８６】
[0098]繰返しモジュール６１５は、繰返しを備えたカバレッジ拡張技法を決定するおよび／または実施するための手段であり得る。繰返しモジュール６１５は、第１のＣＥＴモジュール６０５および第２のＣＥＴモジュール６１０によって選択された技法を実施し得る。これらの技法は、送信機５１５−ａおよびデバイス６００の他の構成要素と協調して実施され得る。繰返しモジュール６１５は、サブフレーム内の繰返しおよびサブフレーム間の繰返し、またはサブフレーム内とサブフレーム間の繰返しの組合せを含む、カバレッジ拡張技法のセットに利用できる繰返し技法を決定し得る。
【００８７】
[0099]パワーブースティングモジュール６２０は、パワーブースティングを含んだカバレッジ拡張技法を決定するおよび／または実施するための手段であり得る。パワーブースティングモジュール６２０は、第１のＣＥＴモジュール６０５および第２のＣＥＴモジュール６１０によって選択された技法を実施し得る。これらの技法は、送信機５１５−ａおよびデバイス６００の他の構成要素と協調して実施され得る。パワーブースティングモジュール６２０は、カバレッジ拡張技法のセットにおいて利用できるパワーブースティング技法を決定し得る。一実施形態では、パワーブースティングモジュール６２０は、最大パワーレベル、以前の伝送の信頼性、および／または他のカバレッジ拡張技法との協調に少なくとも部分的に基づいて、伝送のためのパワーレベルを決定し得る。
【００８８】
[0100]空間多重化モジュール６２５は、空間多重化を備えたカバレッジ拡張技法を決定するおよび／または実施するための手段であり得る。空間多重化モジュール６２５は、第１のＣＥＴモジュール６０５および第２のＣＥＴモジュール６１０によって選択された技法を実施し得る。これらの技法は、送信機５１５−ａおよびデバイス６００の他の構成要素と協調して実施され得る。空間多重化モジュール６２５は、カバレッジ拡張技法のセットにおいて利用できる空間多重化技法を決定し得る。カバレッジ拡張技法のセットが、空間多重化のためのプリコーディングを含む場合、空間多重化モジュール６２５は、マルチレイヤ伝送をサポートするためにプリコーディングするための手段であり得る。場合によっては、空間多重化モジュール６２５は、複数の送信アンテナを備えた送信機と協調して動作し得る。
【００８９】
[0101]ビームフォーミングモジュール６３０は、ビームフォーミングを備えたカバレッジ拡張技法を決定するおよび／または実施するための手段であり得る。ビームフォーミングモジュール６３０は、第１のＣＥＴモジュール６０５および第２のＣＥＴモジュール６１０によって選択された技法を実施し得る。これらの技法は、送信機５１５−ａおよびデバイス６００の他の構成要素と協調して実施され得る。カバレッジ拡張技法のセットが、ビームフォーミングのためのプリコーディングを含む場合、ビームフォーミングモジュール６３０は、指向性送信（directional transmission）をサポートするためにプリコーディングするための手段であり得る。場合によっては、ビームフォーミングモジュール６３０は、複数の送信アンテナを備えた送信機と協調して動作し得る。
【００９０】
[0102]図６Ｂは、様々な実施形態に従ったワイヤレス通信システムにおけるカバレッジ拡張のためのデバイス６００−ｂを示すブロック図を示している。デバイス６００−ｂは、図１および図２に関して説明したＵＥ１１５の１つまたは複数の態様の一例であってよい。またデバイス６００−ｂは、図５に関して説明したデバイス５００の一例であってよい。デバイス６００−ｂは、受信機５０５−ｂ、カバレッジ拡張モジュール５１０−ｂ、および／または送信機５１５−ｂを含み得、これらはデバイス５００の対応する構成要素の例であってよい。デバイス６００−ｂは、プロセッサ（図示せず）も含み得る。これらの構成要素のそれぞれは、互いに通信している可能性がある。カバレッジ拡張モジュール５１０−ｂは、カバレッジ拡張必要性モジュール６３５と、制御チャネル監視モジュール６４０と、アグリゲーションレベル識別モジュール６４５とを含み得る。
【００９１】
[0103]カバレッジ拡張必要性モジュール６３５は、デバイス６００−ｂに対してカバレッジ拡張必要性を決定するための手段であり得る。カバレッジ拡張必要性モジュール６３５は、たとえば、デバイス６００ーｂはカバレッジ拡張の必要がないと決定し得る。または、カバレッジ拡張必要性モジュール６３５は、たとえば、デバイス６００−ｂは、５ｄＢまたは２０ｄＢ、またはそれ以上のカバレッジ拡張の必要性を有すると決定し得る。場合によっては、決定されたカバレッジ拡張必要性は、デバイス６００−ｂの先のカバレッジ拡張必要性とは異なることがある。
【００９２】
[0104]制御チャネル監視モジュール６４０は、たとえば基地局からの制御チャネル送信を監視するための手段であり得る。制御チャネル監視モジュール６４０は、受信機５０５−ｂとともに、ＰＤＣＣＨまたはＥＰＤＤＣＨ、または両方を含み得る送信を受信し、監視し得る。制御チャネル監視モジュール６４０は、カバレッジ拡張必要性モジュール６３５によって決定され得る、デバイス６００−ｂのカバレッジ拡張必要性に基づいて、制御チャネルを監視し得る。
【００９３】
[0105]いくつかの例では、カバレッジ拡張必要性を決定することは、図４Ａおよび図４Ｂに関して上述したように、アグリゲーションレベルを識別することを含み得る。アグリゲーションレベル識別モジュール６４５は、アグリゲーションレベルを識別するため手段であり得、制御チャネル監視モジュール６４０は、識別されたアグリゲーションレベルに基づいて制御チャネルを監視し得る。
【００９４】
[0106]次に図７を見ると、ブロック図が、様々な実施形態に従って繰返し技法を決定するおよび／または実施するためのデバイス７００を示している。デバイス７００は、繰返しモジュール６１５−ａであり得、図６に関して説明した繰返しモジュール６１５の１つまたは複数の態様の一例であってよい。デバイス７００は、アグリゲーションレベルサブモジュール７０５と、サブフレーム間繰返しサブモジュール７１０と、サブフレーム内繰返しサブモジュール７１５とを含み得る。
【００９５】
[0107]アグリゲーションレベルサブモジュール７０５は、制御情報の送信のためのアグリゲーションレベルを決定するための手段であり得る。最大アグリゲーションレベルは、下りリンクシステム帯域幅によって決まり得る。場合によっては、サブフレーム内の繰返しを含む繰返し技法は、カバレッジ拡張なしの公称レベルよりも大きい最大アグリゲーションレベルを監視することを含み得る。一例では、サブフレーム内の繰返しは、１６以上の最大アグリゲーションレベルを監視することを含む。
【００９６】
[0108]サブフレーム間繰返しサブモジュール７１０は、異なるサブフレームにわたる繰返しを備えたカバレッジ拡張技法を決定するおよび／または実施するための手段であり得る。サブフレーム間繰返しサブモジュール７１０は、第１のＣＥＴモジュール６０５および第２のＣＥＴモジュール６１０によって選択された技法を実施し得る。これらの技法は、送信機５１５−ａと協調して実施され得る。サブフレーム間繰返しサブモジュール７１０は、カバレッジ拡張技法のセットにおいて利用できる繰返し技法を決定し得る。
【００９７】
[0109]サブフレーム内繰返しサブモジュール７１５は、サブフレーム内の繰返しを備えたカバレッジ拡張技法を決定するおよび／または実施するための手段であり得る。サブフレーム内繰返しサブモジュール７１５は、第１のＣＥＴモジュール６０５および第２のＣＥＴモジュール６１０によって選択された技法を実施し得る。これらの技法は、送信機５１５−ａと協調して実施され得る。サブフレーム内繰返しサブモジュール７１５は、カバレッジ拡張技法のセットにおいて利用できる繰返し技法を決定し得る。サブフレーム内繰返しサブモジュール７１５は、サブフレーム内の繰返しと異なるサブフレームにわたる繰返しの両方を含む技法を実施するために、サブフレーム間繰返しサブモジュール７１０と協調して動作し得る。
【００９８】
[0110]次に図８Ａを見ると、ブロック図が、様々な実施形態に従ってカバレッジ拡張技法を選択するように構成され得る通信システム８００−ａを示している。このシステム８００−ａは、図１および図２のシステム１００または２００の態様の一例とすることができる。システム８００−ａはまた、図５〜図７のデバイス５００、６００−ａ、６００−ｂ、および７００の構成要素を組み込むことができる。システム８００−ａは、少なくともチャネル２２５−ｃと、チャネル２２５−ｄとからなるワイヤレス送信リンク１２５−ｃを通じてＵＥ１１５−ｃと通信するように構成されたｅＮＢ１０５−ｂを含む。ｅＮＢ１０５−ｂは、他の基地局（図示せず）からの送信リンク１２５を受信することができ得る。
【００９９】
[0111]場合によっては、ｅＮＢ１０５−ｂは、１つまたは複数の有線のバックホールリンクを含み得る。ｅＮＢ１０５−ｂは、コアネットワーク１３０−ａまで有線のバックホールリンク（たとえば、Ｓ１インターフェースなど）を有し得る。ｅＮＢ１０５−ｂは、基地局間通信リンク（たとえば、Ｘ２インターフェースなど）を介して基地局１０５−ｍおよび基地局１０５−ｎなど、他の基地局１０５とも通信し得る。基地局１０５のそれぞれは、同じまたは異なるワイヤレス通信技術使用してＵＥ１１５と通信し得る。場合によっては、ｅＮＢ１０５−ｂは、基地局通信モジュール８３５を利用して、１０５ーｍおよび／または１０５−ｎなどの他の基地局と通信し得る。いくつかの実施形態では、基地局モジュール８３５は、基地局１０５のいくつかの間の通信を提供するために、ＬＴＥ／ＬＴＥ−Ａワイヤレス通信ネットワーク技術内にＸ２インターフェースを設け得る。いくつかの実施形態では、ｅＮＢ１０５−ｂは、コアネットワーク１３０−ａを通して他の基地局と通信し得る。場合によっては、ｅＮＢ１０５−ｂは、ネットワーク通信モジュール８０５を通してコアネットワーク１３０−ａと通信し得る。
【０１００】
[0112]ｅＮＢ１０５−ｂのための構成要素は、図１および図２のｅＮＢ１０５ならびに／または図５〜図７のデバイス５００、６００−ａ、および７００に関して上述した態様を実施するように構成され得、簡潔にするためにここでは繰り返して説明しない。たとえば、ｅＮＢ１０５−ｂは、異なる送信チャネルに異なるカバレッジ拡張技法を選択するように構成され得る。カバレッジ拡張モジュール５１０−ｃは、第１のチャネルのために第１のカバレッジ拡張技法を、および第２のチャネルのために第２のカバレッジ拡張技法を選択し得る。
【０１０１】
[0113]ｅＮＢ１０５−ｂは、プロセッサモジュール８１０と、メモリ８１５（ソフトウェア（ＳＷ）８２０を含む）と、トランシーバモジュール８３０と、アンテナ８４０とを含み得、それぞれ（たとえば、バスシステム８４５を通じて）互いに直接的または間接的に通信している可能性がある。トランシーバモジュール８３０は、マルチモードデバイスであり得るＵＥ１１５と、アンテナ８４０を介して双方向に通信するように構成され得る。トランシーバモジュール８３０（および／またはｅＮＢ１０５−ｂの他の構成要素）はまた、１つまたは複数の他の基地局（図示せず）と、アンテナ８４０を介して双方向に通信するように構成され得る。トランシーバモジュール８３０は、パケットを変調し、変調されたパケットを送信のためにアンテナ８４０に与え、アンテナ８４０から受信されたパケットを復調するように構成されたモデムを含み得る。ｅＮＢ１０５−ｂは、それぞれが１つまたは複数の関連するアンテナ８４０を備えた複数のトランシーバモジュール８３０を含み得る。トランシーバモジュールは、結合された図５の受信機５０５および送信機５１５の一例であってよい。
【０１０２】
[0114]メモリ８１５は、ランダムアクセスメモリ（ＲＡＭ）およびリードオンリメモリ（ＲＯＭ）を含むことができる。またメモリ８１５は、実行されるとき、プロセッサモジュール８１０に本明細書に記載する様々な機能（たとえば、カバレッジ拡張技法を選択すること、呼処理、データベース管理、メッセージルーティングなど）を行わせるように構成された命令を含んだ、コンピュータ可読の、コンピュータ実行可能なソフトウェアコード８２０を記憶することができる。あるいは、ソフトウェア８２０は、プロセッサモジュール８１０によって直接実行可能ではないが、コンピュータに、たとえばコンパイルされ、実行されるとき、本明細書に記載する機能を行わせるように構成されることが可能である。
【０１０３】
[0115]プロセッサモジュール８１０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール８１０は、エンコーダ、キュー処理モジュール、ベースバンドプロセッサ、無線ヘッドコントローラ、デジタル信号プロセッサ（ＤＳＰ）など、様々な専用プロセッサを含み得る。
【０１０４】
[0116]図８Ａのアーキテクチャによれば、ｅＮＢ１０５−ｂは、通信管理モジュール８２５をさらに含み得る。通信管理モジュール８２５は、他の基地局１０５との通信を管理し得る。通信管理モジュールは、他の基地局１０５と協力して、ＵＥ１１５との通信を制御するためのコントローラおよび／またはスケジューラを含み得る。たとえば、通信管理モジュール８２５は、ＵＥ１１５への送信のためのスケジューリング、ならびに／あるいは、ビームフォーミングおよび／またはジョイント送信など、様々な干渉緩和技法を実施し得る。
【０１０５】
[0117]ｅＮＢ１０５−ｂは、図５および図６のカバレッジ拡張モジュール５１０と実質的に同じように構成され得るカバレッジ拡張モジュール５１０−ｃを含み得る。いくつかの実施形態では、カバレッジ拡張モジュール５１０−ｃは、バス８４５を介してｅＮＢ１０５−ｂの他の構成要素の一部またはすべてと通信しているｅＮＢ１０５−ｂの構成要素である。あるいは、カバレッジ拡張モジュール５１０−ｃの機能は、トランシーバモジュール８３０の構成要素として、コンピュータプログラム製品として、プロセッサモジュール８１０の１つもしくは複数のコントローラ要素として、および／または通信管理モジュール８２５の要素として、実装され得る。
【０１０６】
[0118]図８Ｂは、様々な実施形態に従ってカバレッジ拡張技法を利用するように構成され得る通信システム８００−ｂのブロック図を示している。システム８００−ｂは、ＵＥ１１５−ｄを含み得、これは、図１および図２に関して説明したＵＥ１１５、またはそれぞれ図５および図６Ｂのデバイス５００もしくは６００−ｂの一例であってよい。ＵＥ１１５−ｄは、カバレッジ拡張モジュール５１０−ｄを含み得、これは、図５および図６Ｂに関して説明したカバレッジ拡張モジュール５１０の一例であってよい。ＵＥ１１５−ｄは、ＭＴＣデバイスであり得るが、ＵＥ１１５−ｄは、通信を送信するための構成要素および通信を受信するための構成要素を含む、双方向音声およびデータ通信のための構成要素を含み得る。たとえば、ＵＥ１１５−ｄは、ＵＥ１１５−ｅまたは基地局１０５−ｃと双方向に通信し得る。
【０１０７】
[0119]ＵＥ１１５−ｄはまた、プロセッサモジュール８５５と、メモリ８６０（ソフトウェア（ＳＷ）８７０を含む）と、トランシーバモジュール８７５と、１つまたは複数のアンテナ８８０とを含み得、そのそれぞれが（たとえば、バスシステム８８５を介して）互いに直接的または間接的に通信し得る。トランシーバモジュール８７５は、上述のように、アンテナ８８０または有線もしくはワイヤレスリンクを介して、１つまたは複数のネットワークと双方向に通信し得る。たとえば、トランシーバモジュール８７５は、基地局１０５または別のＵＥ１１５と双方向に通信し得る。トランシーバモジュール８８５は、パケットを変調し、変調されたパケットを送信のためにアンテナ８８０に提供する、およびアンテナ８８０から受信されたパケットを復調するためのモデムを含み得る。ＵＥ１１５−ｄは、単一のアンテナ８８０を含み得るが、ＵＥ１１５−ｄは、複数のワイヤレス送信を同時に送信または受信することができる複数のアンテナ８８０を有することもある。
【０１０８】
[0120]メモリ８６０は、ランダムアクセスメモリ（ＲＡＭ）およびリードオンリメモリ（ＲＯＭ）を含むことができる。メモリ８６０は、実行されるとき、プロセッサモジュール８８５に、本明細書に記載する様々な機能を行わせる（たとえば、カバレッジ拡張必要性を決定させる、カバレッジ拡張必要性に基づいて制御チャネルを監視させるなど）命令を含んだ、コンピュータ可読の、コンピュータ実行可能なソフトウェア／ファームウェアコード８７０を記憶し得る。あるいは、ソフトウェア／ファームウェアコード８７０は、プロセッサモジュール８５５によって直接実行可能ではないが、コンピュータに（たとえばコンパイルされ、実行されるとき）本明細書に記載する機能を行わせることが可能である。プロセッサモジュール８８５は、インテリジェントハードウェアデバイス（たとえば、中央処理装置（ＣＰＵ）、マイクロコントローラ、ＡＳＩＣなど）を含み得る。
【０１０９】
[0121]次に図９を見ると、フローチャートが、様々な実施形態に従ったワイヤレス通信システムにおけるカバレッジ拡張のための方法９００を示している。この方法は、図１および図２に関するシステム１００またはサブシステム２００の一部であり得る、図５、図６Ａ、図７、および図８Ａに関して説明したデバイス５００、６００−ａ、７００、および／または８００−ａの様々な態様によって成し遂げられ得る。方法９００が行われるシステムは、図３および図４に関する構造３００および階層４００に示したものと同様の構造を含み得る。
【０１１０】
[0122]ブロック９０５では、第１のＣＥＴモジュール６０５は、カバレッジ拡張技法のセットから、第１のチャネルのために第１のカバレッジ拡張技法を選択し得る。カバレッジ拡張技法のセットは、異なるサブフレームにわたる繰返しまたはパワーブースティングのうちの少なくとも１つを含み得る。いくつかの実施形態では、カバレッジ拡張技法のセットは、空間多重化のためのプリコーディングを含み得る。
【０１１１】
[0123]いくつかの実施形態では、カバレッジ拡張技法のセットは、サブフレーム内の繰返しを備える。サブフレーム内の繰返しは、カバレッジ拡張なしの公称レベルよりも大きい最大アグリゲーションレベルを使用することを含み得る。たとえば、サブフレーム内の繰返しは、１６以上の最大アグリゲーションレベルを使用することを含み得る。最大アグリゲーションレベルは、下りリンクシステム帯域幅によって決まり得る。たとえば、最大アグリゲーションレベルは、伝送に利用できるサブキャリアの数によって決まり得る。
【０１１２】
[0124]場合によっては、第１のチャネルは、ブロードキャストまたはグループキャストチャネルを備え、第１のカバレッジ拡張技法は、異なるサブフレームにわたる繰返しを備える。場合によっては、第１のチャネルは、ＰＤＣＣＨを備える。場合によっては、第１のチャネルは、拡張されたＥＰＤＣＣＨを備える。ＥＰＤＣＣＨのために構成されるＰＲＢの数は、８よりも大きいことが可能である。場合によっては、第１のカバレッジ拡張技法は、サブフレーム内の繰返しを備える。
【０１１３】
[0125]ブロック９１０では、第２のＣＥＴモジュール６１０は、カバレッジ拡張技法のセットから、第２のチャネルのために第２のカバレッジ拡張技法を選択し得る。第２のカバレッジ拡張技法は、第１のカバレッジ拡張技法とは異なることがある。場合によっては、第２のチャネルは、ユニキャストチャネルを備え、第２のカバレッジ拡張技法は、空間多重化のためのプリコーディングを備える。場合によっては、第２のチャネルは、ＰＤＳＣＨを備える。場合によっては、第２のカバレッジ拡張技法は、サブフレーム内の繰返しを備える。
【０１１４】
[0126]ブロック９１５では、送信機５１５は、第１のカバレッジ拡張技法を使用して第１のチャネルでデータの第１の部分を送信し得る。ブロック９２０では、送信機５１５は、第２のカバレッジ拡張技法を使用して第２のチャネルでデータの第２の部分を送信し得る。
【０１１５】
[0127]次に図１０を見ると、フローチャートが、様々な実施形態に従ったワイヤレス通信システムにおけるカバレッジ拡張の方法１０００を示している。この方法は、図１および図２に関するシステム１００またはサブシステム２００の一部であり得る、図５、図６Ａ、図７、および図８Ａに関するデバイス５００、６００−ａ、７００、および／または８００−ａの様々な態様によって成し遂げられ得る。方法１０００が行われるシステムは、図３および図４に関する構造３００および階層４００に示したものと同様の構造を含み得る。方法１０００は、図９に関して説明した方法９００の一例であってよい。
【０１１６】
[0128]ブロック１００５では、第１のＣＥＴモジュール６０５は、カバレッジ拡張技法のセットから、第１のチャネルのために第１のカバレッジ拡張技法を選択し得る。ブロック１０１０では、第２のＣＥＴモジュール６１０は、カバレッジ拡張技法のセットから、第２のチャネルのために第２のカバレッジ拡張技法を選択し得る。ブロック１０１５では、送信機５１５は、第１のカバレッジ拡張技法を使用して第１のチャネルでデータの第１の部分を送信し得る。ブロック１０２０では、送信機５１５は、第２のカバレッジ拡張技法を使用して第２のチャネルでデータの第２の部分を送信し得る。
【０１１７】
[0129]ブロック１０２５では、第２のＣＥＴモジュール６１０は、カバレッジ拡張技法のセットから、第２のチャネルのために第３のカバレッジ拡張技法を選択し得る。場合によっては、第１のカバレッジ拡張技法は、第１の複数のサブフレームにわたる第１の数の繰返しを備え、第３のカバレッジ拡張技法は、第２の複数のサブフレームにわたる第２の数の繰返しを備え、第２の数の繰返しは、厳密には第１の数の繰返しよりも少ない。ブロック１０３０では、送信機５１５は、第３のカバレッジ拡張技法を使用して第２のチャネルでデータの第３の部分を送信し得る。
【０１１８】
[0130]次に図１１を見ると、フローチャートが、様々な実施形態に従ったワイヤレス通信システムにおけるカバレッジ拡張の方法１１００を示している。この方法は、図１および図２に関するワイヤレス通信システム１００またはサブシステム２００の一部であり得る、図５、図６Ｂ、および図８Ｂを参照して説明したデバイス５００、６００−ｂ、および／または８００−ｂの様々な態様によって成し遂げられ得る。方法１１００が行われるワイヤレス通信システムは、図３および図４に関する構造３００および階層４００に示したものと同様の構造を含み得る。
【０１１９】
[0131]ブロック１１０５において、カバレッジ拡張モジュール５１０は、ＵＥに対して伝送カバレッジ拡張必要性を決定し得る。カバレッジ拡張必要性は、ゼロであり得る。すなわち、いくつかの例では、カバレッジ拡張は必要とされないことがある。他の場合では、カバレッジ拡張必要性は、カバレッジ拡張なしの受信される信号のパワーレベル（たとえば、３ｄＢ、５ｄＢ、２０ｄＢ、３０ｄＢなど）を上回る特定のパワーレベルであってよい。いくつかの例では、カバレッジ拡張必要性を決定することは、アグリゲーションレベルを識別することを含み得る。
【０１２０】
[0132]ブロック１１１０において、カバレッジ拡張モジュール５１０は、決定されたカバレッジ拡張必要性に基づいて制御チャネルを監視し得る。これは、識別されたアグリゲーションレベルを監視することを含み得る。制御チャネルは、ＰＤＣＣＨまたはＥＰＤＣＣＨを含み得る。いくつかの例では、カバレッジ拡張必要性を決定することは、制御チャネルに対してバンドル伝送のサイズを決定することを含み得る。またはカバレッジ拡張必要性を決定することは、制御チャネル送信に、カバレッジ拡張が必要とされないことを決定することを含み得る。いくつかの例では、カバレッジ拡張必要性を決定することは、カバレッジ拡張のある制御チャネル伝送が必要とされることを決定することを含み得る。カバレッジ拡張のある制御チャネル伝送は、以前のカバレッジ拡張に使用されたよりもアグリゲーションレベルを有する制御チャネル伝送を含み得る。
【０１２１】
[0133]方法９００、１０００、１１００は、本明細書に記載するツールおよび技法の例示的な実装形態であることは、当業者に認識されよう。この方法は、より多くのステップまたはより少ないステップを用いて行われることがあり、示した以外の順序で行われることがある。
【０１２２】
[0134]添付の図面に関して上記に記載された発明を実施するための形態は、例示的な実施形態について説明しており、実装され得るまたは特許請求の範囲内に入る実施形態のみを表すものではない。詳細な説明は、説明した技法の理解を提供する目的で、具体的な詳細を含む。しかしながら、これらの技法は、これらの具体的な詳細なしで実践され得る。いくつかの例では、記載する実施形態の概念を不明瞭にすることを避けるために、周知の構造およびデバイスはブロック図の形態で示している。
【０１２３】
[0135]情報および信号は、多種多様な技術および技法のいずれかを使用して表され得る。たとえば、上記の説明全体を通して言及され得るデータ、命令、コマンド、情報、信号、ビット、シンボル、およびチップは、電圧、電流、電磁波、磁場もしくは磁性粒子、光場もしくは光学粒子、またはその任意の組合せによって表され得る。
【０１２４】
[0136]本明細書の開示と関連して説明する様々な例示的ブロック、およびモジュールは、汎用プロセッサ、デジタルシグナルプロセッサ（ＤＳＰ）、特定用途用集積回路（ＡＳＩＣ）、フィールドプログラマブルゲートアレイ（ＦＰＧＡ：field programmable gate array）もしくは他のプログラマブルロジックデバイス（programmable logic device）、個別のゲートもしくはトランジスタロジック、個別のハードウェア構成要素、または、本明細書に説明した機能を行うように設計された、これらの任意の組合せで、実装または実行され得る。汎用プロセッサは、マイクロプロセッサとすることができるが、代替的にプロセッサは、任意の従来のプロセッサ、コントローラ、マイクロコントローラ、または状態機械とすることができる。また、プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。
【０１２５】
[0137]本明細書で説明した機能は、ハードウェア、プロセッサによって実行されるソフトウェア、ファームウェア、またはそれらの任意の組合せで実装され得る。プロセッサによって実行されるソフトウェアに実装される場合、機能は、コンピュータ可読媒体上の１つまたは複数の命令またはコードとして、これに記憶され得る、またこれを通じて送信され得る。他の例および実装形態は、開示および添付の特許請求の範囲の範囲および趣旨のうちである。たとえば、ソフトウェアの性質により、上述の機能は、プロセッサ、ハードウェア、ファームウェア、ハード配線、これらのいずれかの組合せによって実行されるソフトウェアを使用して実装され得る。機能を実装する特徴はまた、機能の部分が異なる物理的位置に実装されるように分散されることを含む、様々な位置に物理的に配置される場合がある。また、特許請求の範囲を含む本明細書で使用される場合、「のうちの少なくとも１つ」の前にある項目のリスト内で使用される「または」は、たとえば、「Ａ、Ｂ、またはＣのうちの少なくとも１つ」のリストが、ＡまたはＢまたはＣまたはＡＢまたはＡＣまたはＢＣまたはＡＢＣ（すなわち、ＡおよびＢおよびＣ）を意味するような選言的リストを示す。
【０１２６】
[0138]コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、任意の接続は、コンピュータ可読媒体と適切に呼ばれる。たとえば、ソフトウェアが、同軸ケーブル、光ファイバーケーブル、ツイストペア、デジタル加入者線（ＤＳＬ）、または赤外線、無線、およびマイクロ波などのワイヤレス技術を使用して、ウェブサイト、サーバまたは他のリモートソースから送信される場合、この同軸ケーブル、光ファイバーケーブル、ツイストペア、ＤＳＬ、または赤外線、無線、およびマイクロ波などワイヤレス技術は、媒体の定義に含まれる。本明細書で使用するディスク（disk）およびディスク（disc）は、コンパクトディスク（ＣＤ：compact disc）、レーザーディスク（登録商標）（laser disc）、光ディスク（optical disc）、デジタル多目的ディスク（ＤＶＤ：digital versatile disc）、フロッピー（登録商標）ディスク（floppy disk）、およびブルーレイ（登録商標）ディスク（Blu-ray（登録商標） disc）を含み、ディスク（disk）は通常、データを磁気的に再生し、ディスク（disc）はレーザーを使用して、データを光学的に再生する。上記のものの組合せもまた、コンピュータ可読媒体の範囲内に含まれる。
【０１２７】
[0139]本開示の以上の説明は、いかなる当業者も本開示を作成または使用することが可能となるように提供される。本開示への様々な変更は当業者には容易に明らかであり、本明細書において定義された一般原理は、本開示の趣旨または範囲から逸脱することなく他の変形形態に適用される場合がある。この開示全体を通して、「実施形態」、「例」、または「例示的な」という用語は、例または事例を示し、記載する例を優先することを暗示または要求するものではない。したがって、本開示は、本明細書で説明した例および設計に限定されず、本明細書で開示した原理および新規の特徴に合致する最も広い範囲を与えられるべきである。
以下に、本願の出願当初の特許請求の範囲に記載された発明を付記する。
［Ｃ１］
ワイヤレス通信システムにおけるカバレッジ拡張の方法であって、
異なるサブフレームにわたる繰返しまたはパワーブースティングのうちの少なくとも１つを含むカバレッジ拡張技法のセットから第１のチャネルのために第１のカバレッジ拡張技法を選択することと、
カバレッジ拡張技法の前記セットから第２のチャネルのために、前記第１のカバレッジ拡張技法とは異なる第２のカバレッジ拡張技法を選択することと、
前記第１のカバレッジ拡張技法を使用して前記第１のチャネルでデータの第１の部分を送信することと、
前記第２のカバレッジ拡張技法を使用して前記第２のチャネルでデータの第２の部分を送信することと
を備える、方法。
［Ｃ２］
カバレッジ拡張技法の前記セットが、空間多重化のためのプリコーディングをさらに備える、Ｃ１に記載の方法。
［Ｃ３］
前記第１のチャネルが、ブロードキャストまたはグループキャストチャネルを備え、前記第１のカバレッジ拡張技法が、異なるサブフレームにわたる繰返しを備える、Ｃ１に記載の方法。
［Ｃ４］
前記第２のチャネルが、ユニキャストチャネルを備え、前記第２のカバレッジ拡張技法が、空間多重化のためのプリコーディングを備える、Ｃ１に記載の方法。
［Ｃ５］
前記第２のチャネルが、物理下りリンク共有チャネル（ＰＤＳＣＨ）を備える、Ｃ４に記載の方法。
［Ｃ６］
カバレッジ拡張技法の前記セットが、サブフレーム内の繰返しをさらに備える、Ｃ１に記載の方法。
［Ｃ７］
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、Ｃ６に記載の方法。
［Ｃ８］
カバレッジ拡張技法の前記セットから前記第２のチャネルのために第３のカバレッジ拡張技法を選択することと、
前記第３のカバレッジ拡張技法を使用して前記第２のチャネルでデータの第３の部分を送信することと
をさらに備える、Ｃ１に記載の方法。
［Ｃ９］
前記第１のカバレッジ拡張技法が、第１の複数のサブフレームにわたる第１の数の繰返しを備え、
前記第３のカバレッジ拡張技法が、第２の複数のサブフレームにわたる第２の数の繰返しを備え、
前記第２の数の繰返しが、厳密には前記第１の数の繰返しよりも少ない
Ｃ８に記載の方法。
［Ｃ１０］
ワイヤレス通信の方法であって、
ユーザ機器（ＵＥ）のためのカバレッジ拡張必要性を決定することと、
前記決定されたカバレッジ拡張必要性に少なくとも部分的に基づいて制御チャネルを監視することと
を備える、方法。
［Ｃ１１］
前記カバレッジ拡張必要性を決定することが、アグリゲーションレベルを識別することを備え、
前記制御チャネルを監視することが、前記識別されたアグリゲーションレベルを監視することを備える、
Ｃ１０に記載の方法。
［Ｃ１２］
前記アグリゲーションレベルを識別することが、以前のカバレッジ拡張に使用されたものとは異なるアグリゲーションレベルを識別することを備える、Ｃ１１に記載の方法。
［Ｃ１３］
前記制御チャネルが、物理下りリンク制御チャネル（ＰＤＣＣＨ）または拡張されたＰＤＣＣＨ（ＥＰＤＣＣＨ）のうちの少なくとも１つを備える、Ｃ１０に記載の方法。
［Ｃ１４］
前記カバレッジ拡張必要性を決定することが、制御チャネルに対してバンドル伝送のサイズを決定することを備える、Ｃ１０に記載の方法。
［Ｃ１５］
前記カバレッジ拡張必要性を決定することが、制御チャネルにカバレッジ拡張が必要とされないことを決定することを備える、Ｃ１０に記載の方法。
［Ｃ１６］
ワイヤレス通信システムにおけるカバレッジ拡張のための装置であって、
異なるサブフレームにわたる繰返しまたはパワーブースティングのうちの少なくとも１つを含むカバレッジ拡張技法のセットから第１のチャネルのために第１のカバレッジ拡張技法を選択するための手段と、
カバレッジ拡張技法の前記セットから第２のチャネルのために、前記第１のカバレッジ拡張技法とは異なる第２のカバレッジ拡張技法を選択するための手段と、
前記第１のカバレッジ拡張技法を使用して前記第１のチャネルでデータの第１の部分を送信するための手段と、
前記第２のカバレッジ拡張技法を使用して前記第２のチャネルでデータの第２の部分を送信するための手段と
を備える、装置。
［Ｃ１７］
カバレッジ拡張技法の前記セットが、空間多重化のためのプリコーディングをさらに備える、Ｃ１６に記載の装置。
［Ｃ１８］
前記第１のチャネルが、ブロードキャストまたはグループキャストチャネルを備え、前記第１のカバレッジ拡張技法が、異なるサブフレームにわたる繰返しを備える、Ｃ１６に記載の装置。
［Ｃ１９］
前記第２のチャネルが、ユニキャストチャネルを備え、前記第２のカバレッジ拡張技法が、空間多重化のためのプリコーディングを備える、Ｃ１６に記載の装置。
［Ｃ２０］
前記第２のチャネルが、物理下りリンク共有チャネル（ＰＤＳＣＨ）を備える、Ｃ１９に記載の装置。
［Ｃ２１］
カバレッジ拡張技法の前記セットが、サブフレーム内の繰返しをさらに備える、Ｃ１６に記載の装置。
［Ｃ２２］
前記第１のチャネルが、物理下りリンク制御チャネル（ＰＤＣＣＨ）または拡張されたＰＤＣＣＨ（ＥＰＤＣＣＨ）のうちの少なくとも１つを備え、前記第２のカバレッジ拡張技法が、前記サブフレーム内の前記繰返しを備える、Ｃ２１に記載の装置。
［Ｃ２３］
カバレッジ拡張技法の前記セットから前記第２のチャネルのために第３のカバレッジ拡張技法を選択するための手段と、
前記第３のカバレッジ拡張技法を使用して前記第２のチャネルでデータの第３の部分を送信するための手段と
をさらに備える、Ｃ１６に記載の装置。
［Ｃ２４］
前記第１のカバレッジ拡張技法が、第１の複数のサブフレームにわたる繰返しの第１の数を備え、
前記第３のカバレッジ拡張技法が、第２の複数のサブフレームにわたる第２の数の繰返しを備え、
前記第２の数の繰返しが、厳密には前記第１の数の繰返しのよりも少ない
Ｃ２３に記載の装置。
［Ｃ２５］
ワイヤレス通信のための装置であって、
ユーザ機器（ＵＥ）のためのカバレッジ拡張必要性を決定するための手段と、
前記決定されたカバレッジ拡張必要性に少なくとも部分的に基づいて制御チャネルを監視するための手段と
を備える、装置。
［Ｃ２６］
前記カバレッジ拡張必要性を決定するための前記手段が、アグリゲーションレベルを識別するための手段を備え、
前記制御チャネルを監視するための前記手段が、前記識別されたアグリゲーションレベルを監視するための手段を備える、
Ｃ２５に記載の方法。
［Ｃ２７］
前記アグリゲーションレベルを識別するための前記手段が、
以前のカバレッジ拡張に使用されたものとは異なるアグリゲーションレベルを識別するための手段
を備える、Ｃ２６に記載の方法。
［Ｃ２８］
前記制御チャネルが、物理下りリンク制御チャネル（ＰＤＣＣＨ）または拡張されたＰＤＣＣＨ（ＥＰＤＣＣＨ）のうちの少なくとも１つを備える、Ｃ２５に記載の装置。
［Ｃ２９］
前記カバレッジ拡張必要性を決定するための前記手段が、
制御チャネルに対してバンドル送信のサイズを決定するための手段
を備える、Ｃ２５に記載の装置。
［Ｃ３０］
前記カバレッジ拡張必要性を決定するための前記手段が、
制御チャネルにカバレッジ拡張が必要とされないことを決定するための手段
を備える、Ｃ２５に記載の装置。
【図１】
0006386055.tif 000002
【図２】
0006386055.tif 000003
【図３】
0006386055.tif 000004
【図４Ａ】
0006386055.tif 000005
【図４Ｂ】
0006386055.tif 000006
【図５】
0006386055.tif 000007
【図６Ａ】
0006386055.tif 000008
【図６Ｂ】
0006386055.tif 000009
【図７】
0006386055.tif 000010
【図８Ａ】
0006386055.tif 000011
【図８Ｂ】
0006386055.tif 000012
【図９】
0006386055.tif 000013
【図１０】
0006386055.tif 000014
【図１１】
0006386055.tif 000015